(57)【特許請求の範囲】
【請求項１】
観測ワイヤレストランシーバデバイスにおいて、
１つまたは複数の隣接報告サブエレメントフィールドを備える、支援アクセスポイントデバイスからの１つまたは複数のファインタイミング測定（ＦＴＭ）距離要求メッセージを受信すること、前記１つまたは複数の隣接報告サブエレメントフィールドのうちの少なくとも１つは、１つまたは複数の隣接ワイヤレストランシーバデバイスの広帯域幅チャネルサブエレメントを備え、前記１つまたは複数のＦＴＭ距離要求メッセージは、前記支援アクセスポイントデバイスによって開始される、と、
前記広帯域幅チャネルサブエレメントにおける１つまたは複数のパラメータに基づいて、前記１つまたは複数の隣接ワイヤレストランシーバデバイスのうちの少なくとも１つとメッセージを交換すること、前記メッセージの交換は、前記観測ワイヤレストランシーバデバイスと前記１つまたは複数の隣接ワイヤレストランシーバデバイスとの間のラウンドトリップタイムまたは距離を示す他のパラメータを決定するために利用される、と
を備え、前記広帯域幅チャネルサブエレメントは、少なくとも１つのプライマリチャネルの中心周波数、及び前記少なくとも１つのプライマリチャネルの前記中心周波数からのセカンダリセグメントの中心周波数の周波数オフセットをさらに指定する、方法。
【請求項２】
前記広帯域幅チャネルサブエレメントは、前記１つまたは複数の隣接ワイヤレストランシーバデバイスのうちの前記少なくとも１つの高スループット（ＨＴ）または超高スループット（ＶＨＴ）パラメータをさらに指定する、
請求項１に記載の方法。
【請求項３】
前記メッセージを交換することに基づいて、前記１つまたは複数の隣接ワイヤレストランシーバデバイスのうちの前記少なくとも１つへの距離を示す１つまたは複数の測定値を取得することをさらに備える、
請求項１に記載の方法。
【請求項４】
前記取得された１つまたは複数の測定値に基づいて、前記支援アクセスポイントデバイスに１つまたは複数のファインタイミング測定（ＦＴＭ）距離報告メッセージを送信することをさらに備える、
請求項３に記載の方法。
【請求項５】
観測ワイヤレストランシーバデバイスであって、
ワイヤレス通信ネットワークからメッセージを受信するための受信機と、
前記ワイヤレス通信ネットワークにメッセージを送信するための送信機と、
１つまたは複数の隣接報告サブエレメントフィールドを備える、支援アクセスポイントデバイスから前記受信機で受信された１つまたは複数のファインタイミング測定（ＦＴＭ）距離要求メッセージを取得すること、前記１つまたは複数の隣接報告サブエレメントフィールドのうちの少なくとも１つは、１つまたは複数の隣接ワイヤレストランシーバデバイスの広帯域幅チャネルサブエレメントを備え、前記１つまたは複数のＦＴＭ距離要求メッセージは、前記支援アクセスポイントデバイスによって開始される、と、
前記広帯域幅チャネルサブエレメントにおける１つまたは複数のパラメータに基づいて、前記１つまたは複数の隣接ワイヤレストランシーバデバイスのうちの少なくとも１つとの前記送信機を通じたメッセージの交換を開始すること、前記メッセージの交換は、前記観測ワイヤレストランシーバデバイスと前記１つまたは複数の隣接ワイヤレストランシーバデバイスとの間のラウンドトリップタイムまたは距離を示す他のパラメータを決定するために利用される、と
を行うように構成された１つまたは複数のプロセッサと
を備え、前記広帯域幅チャネルサブエレメントは、少なくとも１つのプライマリチャネルの中心周波数、及び前記少なくとも１つのプライマリチャネルの前記中心周波数からのセカンダリセグメントの中心周波数の周波数オフセットをさらに指定する、観測ワイヤレストランシーバデバイス。
【請求項６】
前記広帯域幅チャネルサブエレメントにおける前記１つまたは複数のパラメータは、前記１つまたは複数の隣接トランシーバデバイスのうちの前記少なくとも１つの高スループット（ＨＴ）または超高スループット（ＶＨＴ）パラメータを指定する、
請求項５に記載の観測ワイヤレストランシーバデバイス。
【請求項７】
前記１つまたは複数のプロセッサは、
前記メッセージの交換に基づいて、前記１つまたは複数の隣接ワイヤレストランシーバデバイスのうちの前記少なくとも１つへの距離を示す１つまたは複数の測定値を取得するようにさらに構成された、
請求項５に記載の観測ワイヤレストランシーバデバイス。
【請求項８】
前記１つまたは複数のプロセッサは、前記取得された１つまたは複数の測定値に基づいて、前記支援アクセスポイントデバイスへの１つまたは複数のファインタイミング測定（ＦＴＭ）距離報告メッセージの送信を開始するようにさらに構成された、
請求項７に記載の観測ワイヤレストランシーバデバイス。
【請求項９】
支援アクセスポイントデバイスにおいて、
１つまたは複数の隣接報告サブエレメントフィールドを備える１つまたは複数のファインタイミング測定（ＦＴＭ）距離要求メッセージを観測ワイヤレストランシーバデバイスに送信することを備え、前記１つまたは複数の隣接報告サブエレメントフィールドのうちの少なくとも１つは、１つまたは複数の隣接ワイヤレストランシーバデバイスの１つまたは複数のパラメータを指定する広帯域幅チャネルサブエレメントを備え、前記１つまたは複数のＦＴＭ距離要求メッセージは、前記支援アクセスポイントデバイスによって開始され、前記距離要求メッセージは、前記観測ワイヤレストランシーバデバイスと前記１つまたは複数の隣接ワイヤレストランシーバデバイスとの間のラウンドトリップタイムまたは距離を示す他のパラメータを決定するのを支援するために利用され、前記広帯域幅チャネルサブエレメントは、少なくとも１つのプライマリチャネルの中心周波数、及び前記少なくとも１つのプライマリチャネルの前記中心周波数からのセカンダリチャネルの中心周波数の周波数オフセットをさらに指定する、
方法。
【請求項１０】
前記観測ワイヤレストランシーバデバイスと前記１つまたは複数の隣接ワイヤレストランシーバデバイスのうちの少なくとも１つとの間の距離を示す１つまたは複数のパラメータを備える１つまたは複数のメッセージを受信することをさらに備える、
請求項９に記載の方法。
【請求項１１】
前記広帯域幅チャネルサブエレメントは、前記１つまたは複数の隣接ワイヤレストランシーバデバイスのうちの前記少なくとも１つの高スループット（ＨＴ）または超高スループット（ＶＨＴ）パラメータをさらに指定する、
請求項９に記載の方法。
【請求項１２】
支援アクセスポイントデバイスであって、
ワイヤレス通信ネットワークからメッセージを受信するための受信機と、
前記ワイヤレス通信ネットワークにメッセージを送信するための送信機と、
観測ワイヤレストランシーバデバイスへの前記送信機を通じた、１つまたは複数の隣接報告サブエレメントフィールドを備える１つまたは複数のファインタイミング測定（ＦＴＭ）距離要求メッセージの送信を開始することを行うように構成された１つまたは複数のプロセッサ、前記１つまたは複数の隣接報告サブエレメントフィールドのうちの少なくとも１つは、１つまたは複数の隣接ワイヤレストランシーバデバイスの１つまたは複数のパラメータを指定する広帯域幅チャネルサブエレメントを備え、前記１つまたは複数のＦＴＭ距離要求メッセージは、前記支援アクセスポイントデバイスによって開始され、１つまたは複数のメッセージの前記送信は、前記観測ワイヤレストランシーバデバイスと前記１つまたは複数の隣接ワイヤレストランシーバデバイスとの間のラウンドトリップタイムまたは距離を示す他のパラメータを決定するために利用される、と
を備え、前記広帯域幅チャネルサブエレメントは、少なくとも１つのプライマリチャネルの中心周波数、及び前記少なくとも１つのプライマリチャネルの前記中心周波数からのセカンダリセグメントの中心周波数の周波数オフセットをさらに指定する、支援アクセスポイントデバイス。
【請求項１３】
前記広帯域幅チャネルサブエレメントは、前記１つまたは複数の隣接ワイヤレストランシーバデバイスのうちの前記少なくとも１つの高スループット（ＨＴ）または超高スループット（ＶＨＴ）パラメータをさらに指定する、
請求項１２に記載の支援アクセスポイントデバイス。
【発明の詳細な説明】
【関連出願】
【０００１】
本願は、２０１５年２月２３日に出願された「Methods and Systems for Ranging Protocol」と題する米国仮特許出願第６２／１１９，７５８号及び２０１５年８月２１日出願された米国非仮特許出願番号第１４／８３２，９００号「Methods and Systems for Ranging Protocol」の利益を主張し、それらは、参照によってここに明確に組み込まれる。
【技術分野】
【０００２】
[0001]ここに説明される実施形態は、モバイル送信機から捕捉される信号の測定値を取得することを対象とする。
【背景技術】
【０００３】
[0002]全地球測位システム（ＧＰＳ）のような衛星測位システム（ＳＰＳ）は、屋外環境におけるモバイルハンドセットのためのナビゲーションサービスを可能にしてきた。同じ様に、屋内環境におけるモバイルデバイスの位置（position）の推定値を取得するための特定の技法は、居住の、行政府の、または商業的な場所（venues）のような特定の屋内の場所における強化されたロケーション（location）ベースのサービスを可能にし得る。例えば、固定されたロケーションに位置付けられたトランシーバとモバイルデバイスとの間の距離（range）は、第１のデバイスから第２のデバイスへの第１のメッセージの送信と、第１のメッセージに応答して送信された第２のメッセージの第１のデバイスでの受信との間の測定されたラウンドトリップタイム（ＲＴＴ）の測定値に、少なくとも部分的に、基づいて、測定され得る。
【図面の簡単な説明】
【０００４】
[0003]非限定的及び非網羅的な態様が、以下の図を参照して説明され、同様の参照番号は、別段の指定がない限り、様々な図の全体にわたる同様の部分に関連する。
【図１】ある実施に従った、モバイルデバイスを含むシステムのある特定の特徴を例示するシステム図である。
【図２】特定の実施形態に従ったメッセージフロー図である。
【図３】特定の実施形態に従ったメッセージフロー図である。
【図４】特定の実施形態に従った処理のフロー図である。
【図５】特定の実施形態に従った処理のフロー図である。
【図６】特定の実施形態に従った、支援ワイヤレストランシーバデバイスから送信されたメッセージのフィールドを例示する図である。
【図７】特定の実施形態に従った、支援ワイヤレストランシーバデバイスから送信されたメッセージのフィールドを例示する図である。
【図８】特定の実施形態に従った、支援ワイヤレストランシーバデバイスから送信されたメッセージのフィールドを例示する図である。
【図９】特定の実施形態に従った、支援ワイヤレストランシーバデバイスから送信されたメッセージのフィールドを例示する図である。
【図１０】特定の実施形態に従った、支援ワイヤレストランシーバデバイスから送信されたメッセージのフィールドを例示する図である。
【図１１】支援ワイヤレストランシーバデバイスから送信されたメッセージのためのパラメータの例となる値を有する表である。
【図１２】支援ワイヤレストランシーバデバイスから送信されたメッセージのためのパラメータの例となる値を有する表である。
【図１３】代替の実施に従ったメッセージフロー図である。
【図１４】代替の実施に従ったメッセージフロー図である。
【図１５】ある実施に従った、実例的なデバイスを例示する概略的なブロック図である。
【図１６】ある実施に従った、例となるコンピューティングシステムの概略的なブロック図である。
【発明の概要】
【０００５】
[00012]簡潔に、特定の実施は、観測ワイヤレストランシーバデバイスにおける方法を対象とし、方法は、１つまたは複数の隣接報告サブエレメントフィールドを備える、支援ワイヤレストランシーバデバイスからの１つまたは複数のメッセージを受信すること、隣接報告サブエレメントフィールドのうちの少なくとも１つは、１つまたは複数の隣接ワイヤレストランシーバデバイスの広帯域幅チャネルサブエレメントを備える、と、広帯域幅チャネルサブエレメントにおける１つまたは複数のパラメータに、少なくとも部分的に、基づいて、隣接ワイヤレストランシーバデバイスとメッセージを交換することとを備える。
【０００６】
[00013]別の特定の実施は、観測ワイヤレストランシーバデバイスを対象とし、観測ワイヤレストランシーバデバイスは、ワイヤレス通信ネットワークからメッセージを受信するための受信機と、ワイヤレス通信ネットワークにメッセージを送信するための送信機と、１つまたは複数の隣接報告サブエレメントフィールドを備える、支援ワイヤレストランシーバデバイスから受信機で受信された１つまたは複数のメッセージを取得すること、隣接報告サブエレメントフィールドのうちの少なくとも１つは、１つまたは複数の隣接ワイヤレストランシーバデバイスの広帯域幅チャネルサブエレメント（ＷＢＣＳ）を備える、広帯域幅チャネルサブエレメントにおける１つまたは複数のパラメータに、少なくとも部分的に、基づいて隣接ワイヤレストランシーバデバイスとの送信機を通じたメッセージの交換を開始することとを行うための１つまたは複数のプロセッサとを備える。
【０００７】
[00014]別の特定の実施は、観測ワイヤレストランシーバデバイスを対象とし、観測ワイヤレストランシーバデバイスは、１つまたは複数の隣接報告サブエレメントフィールドを備える、支援ワイヤレストランシーバデバイスからの１つまたは複数のメッセージを受信するための手段、隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える、と、１つまたは複数のパラメータに、少なくとも部分的に、基づいて、隣接ワイヤレストランシーバデバイスとメッセージを交換するための手段とを備える。
【０００８】
[00015]別の特定の実施は、非一時的な記憶媒体を対象とし、非一時的な記憶媒体は、１つまたは複数の隣接報告サブエレメントフィールドを備える、支援ワイヤレストランシーバデバイスから受信された１つまたは複数のメッセージを取得すること、隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える、と、指定された１つまたは複数のパラメータに、少なくとも部分的に、基づいて隣接ワイヤレストランシーバデバイスとメッセージの交換を開始することとを行うように、観測第１のワイヤレストランシーバデバイスの１つまたは複数のプロセッサによって実行可能である、記憶された機械読み取り可能な命令を備える。
【０００９】
[00016]別の特定の実施は、支援ワイヤレストランシーバデバイスにおける方法を対象とし、方法は、１つまたは複数の隣接報告サブエレメントフィールドを備える１つまたは複数のメッセージを、観測ワイヤレストランシーバデバイスに送信することを備え、隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える。
【００１０】
[00017]別の特定の実施は、支援ワイヤレストランシーバデバイスを対象とし、支援ワイヤレストランシーバデバイスは、ワイヤレス通信ネットワークからメッセージを受信するための受信機と、ワイヤレス通信ネットワークにメッセージを送信するための送信機と、観測ワイヤレストランシーバデバイスへの送信機を通じた、１つまたは複数の隣接報告サブエレメントフィールドを備える１つまたは複数のメッセージの送信を開始することを行う、ための１つまたは複数のプロセッサとを備え、隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える。
【００１１】
[00018]別の特定の実施は、支援ワイヤレストランシーバデバイスを対象とし、支援ワイヤレストランシーバデバイスは、観測ワイヤレストランシーバデバイスから第１のメッセージを受信するための手段と、第１のメッセージの受信に応答して、観測ワイヤレストランシーバデバイスに１つまたは複数の第２のメッセージを送信するための手段、１つまたは複数の第２のメッセージは、１つまたは複数の隣接報告サブエレメントフィールドを備え、隣接報告サブエレメントフィールドのうちの少なくとも１つは、１つまたは複数の隣接ワイヤレストランシーバデバイスのパラメータを指定する広帯域幅チャネルサブエレメントを備える、とを備える。
【００１２】
[00019]別の特定の実施は、非一時的な記憶媒体を対象とし、非一時的な記憶媒体は、観測ワイヤレストランシーバデバイスへの、１つまたは複数の隣接報告サブエレメントフィールドを備える１つまたは複数のメッセージの送信を開始することを行うように支援ワイヤレストランシーバデバイスの１つまたは複数のプロセッサによって実行可能である、記憶された機械読み取り可能な命令を備え、隣接報告サブエレメントフィールドのうちの少なくとも１つは、１つまたは複数の隣接ワイヤレストランシーバデバイスのうちの１つまたは複数のパラメータを指定する広帯域幅チャネルサブエレメントを備える。
【００１３】
[00020]前述の実施が、単に例となる実施に過ぎず、特許請求される主題が、これらの例となる実施の任意の特定の態様に必ずしも限定されるわけではないことが理解されるべきである。
【詳細な説明】
【００１４】
[00021]以下に述べるように、特定のメッセージフローは、ワイヤレス局（ＳＴＡ）間のメッセージの送信に関連して距離の効果的及び効率的な測定を可能にし得る。特定の例では、ＳＴＡは、例えば、モバイルユーザ局（例えば、スマートフォン、ノートブックコンピュータ、タブレットコンピュータ、等）またはワイヤレスサービスアクセスデバイス（例えば、ワイヤレスローカルエリアネットワーク（ＷＬＡＮ）アクセスポイント、パーソナルエリアネットワーク（ＰＡＮ）またはフェムトセル）のような、いくつかのタイプのトランシーバデバイスのうちのいずれか１つを備え得る。特定のメッセージフロー及びメッセージフレームにおけるフィールドは、例えば、より少ないメッセージを使用して、ワイヤレスＳＴＡ間の距離を測定するために十分な正確さでラウンドトリップタイム（ＲＴＴ）または飛行時間（ＴＯＦ：time of flight）測定値を取得することを可能にし得る。このような測定された距離は、例えば、位置決め動作を含むいくつかのアプリケーションのうちのいずれか１つにおいて使用され得る。
【００１５】
[00022]以下に述べるように、第１のＳＴＡは、第１のＳＴＡがＲＴＴまたはＴＯＦ測定値を取得することを可能にするフレームまたはメッセージの交換のための処理を開始するために、第２のＳＴＡにファインタイミング測定要求メッセージを送信し得る。特定の実施では、ファインタイミング測定要求メッセージは、第１のＳＴＡがレンジング測定値または距離を示す他のパラメータを共有することができるかどうかに関するインジケーションを含み得る。特定の実施では、ＲＴＴまたはＴＯＦ測定値の計算に続き、第１のＳＴＡは、計算された距離、ＴＯＦもしくはＲＴＴ測定値、または距離を示す他のパラメータを備える１つまたは複数のメッセージを、第２のＳＴＡに送信し得る。これは、単に例となる実施に過ぎず、特許請求される主題はこの点に限定されないことが、理解されるべきである。
【００１６】
[00023]ＲＴＴの測定値に関するＳＴＡ間のメッセージの送信は、典型的に、数例を提供すると、音声、ビデオ、ＨＴＴＰ、データのような他のアプリケーションをサポートする他のメッセージトラフィックに加えて、生じる。したがって、高密度の（dense）動作環境では、ＲＴＴの測定値に関するＳＴＡ間のメッセージングは、ワイヤレスリンクリソースに関する輻輳及び競合を増加させ得る。以下に述べる特定の実施では、特定の位置決め技法は、ＲＴＴを測定するために使用される典型的な技法より少ないメッセージを使用して、ＳＴＡ間のメッセージの送信に関するＴＯＦを測定することによりサポートされ得る。ある実施形態に従って、ＴＯＦは、密に連続して（close in a sequence）送信されるメッセージの「バースト」中の個々のメッセージについて測定され得る。受信されたメッセージのバーストからの複数のＴＯＦ測定値を組み合わせることは、例えば、測定エラーの減少を可能にし得る。
【００１７】
[00024]ある実施形態に従って、図１に示されるように、モバイルデバイス１００ａまたは１００ｂは、ワイヤレス通信ネットワークに無線信号を送信し得、及びワイヤレス通信ネットワークから無線信号を受信し得る。１つの例では、モバイルデバイス１００は、ワイヤレス通信リンク１２５を通してローカルトランシーバ１１５にワイヤレス信号を送信すること、またはローカルトランシーバ１１５からワイヤレス信号を受信することによって、通信ネットワークと通信し得る。
【００１８】
[00025]特定の実施では、ローカルトランシーバ１１５は、屋内環境に位置付けられ得る。ローカルトランシーバ１１５は、ワイヤレスローカルエリアネットワーク（ＷＬＡＮ、例えば、ＩＥＥＥ  Ｓｔｄ．８０２．１１ネットワーク）またはワイヤレスパーソナルエリアネットワーク（ＷＰＡＮ、例えば、Ｂｌｕｅｔｏｏｔｈ（登録商標）ネットワーク）にアクセスを提供し得る。別の例となる実施では、ローカルトランシーバ１１５は、セルラ通信プロトコルに従って、ワイヤレス通信リンク１２５上での通信を容易にすることができるフェムトセルトランシーバを備え得る。当然ながら、これらは、単に、ワイヤレスリンクを通してモバイルデバイスと通信し得るネットワークの例に過ぎず、特許請求される主題はこの点に限定されないことが理解されるべきである。
【００１９】
[00026]特定の実施では、ローカルトランシーバ１１５ａまたは１１５ｂは、リンク１４５を通じてネットワーク１３０を通してサーバ１４０、１５０及び／または１５５と通信し得る。ここでは、ネットワーク１３０は、ワイヤードまたはワイヤレスリンクの任意の組み合わせを備え得る。特定の実施では、ネットワーク１３０は、ローカルトランシーバ１１５を通じてモバイルデバイス１００とサーバ１４０、１５０または１５５との間の通信を容易にすることができるインターネットプロトコル（ＩＰ）インフラストラクチャを備え得る。別の実施では、ネットワーク１３０は、モバイルデバイス１００とのモバイルセルラ通信を容易にするためにワイヤードまたはワイヤレス通信ネットワークインフラストラクチャを備え得る。
【００２０】
[00027]特定の実施では、モバイルデバイス１００は、ローカル送信機（例えば、既知のロケーションに位置付けられたＷＬＡＮアクセスポイント）から捕捉される信号に、少なくとも部分的に、基づいて、位置フィックス（position fix）を計算することができ得る。例えば、モバイルデバイスは、既知のロケーションに位置付けられた３つ以上の屋内の地上ワイヤレスアクセスポイントへの距離を測定することによって位置フィックスを取得し得る。そのような距離は、例えば、そのようなアクセスポイントから受信された信号からＭＡＣ  ＩＤアドレスを取得することと、例えば、受信信号強度（ＲＳＳＩ）またはＲＴＴのような、そのようなアクセスポイントから受信された信号の１つまたは複数の特性を測定することによって、アクセスポイントへの距離測定値を取得することとによって、測定され得る。代替の実施では、モバイルデバイス１００は、捕捉された信号の特性を予期された到来角（ＡｏＡ）を示す無線ヒートマップに適用することによって、屋内の位置フィックスを取得し得る。他の代替の実施では、上で指摘したように、モバイルデバイス１００は、捕捉された信号の特性を予期されたＴＯＦを示す無線ヒートマップに適用することによって、屋内の位置フィックスを取得し得る。したがって、無線ヒートマップは、屋内エリアの特定のロケーションにおけるＴＯＦ、ＡｏＡ、ＲＳＳＩ、及び／またはＲＴＴシグネチャを備え得る。特定の実施では、無線ヒートマップは、ローカル送信機のアイデンティティ（例えば、ローカル送信機から捕捉された信号から認識できる（discernible）ＭＡＣアドレス）、識別されたローカル送信機によって送信された信号からの予期されたＲＳＳＩ、識別された送信機からの予期されたＲＴＴ、及び場合によってはこれらの予期されたＡｏＡ、ＴＯＦ、ＲＳＳＩまたはＲＴＴからの標準偏差を関連付け得る。しかしながら、これらは、単に、無線ヒートマップに記憶され得る値の例に過ぎず、特許請求される主題はこの点に限定されないことが理解されるべきである。
【００２１】
[00028]特定の実施では、モバイルデバイス１００またはローカルトランシーバ１１５は、サーバ１４０、１５０または１５５から、屋内位置決め動作のための位置決め支援データを受信し得る。例えば、そのような位置決め支援データは、例えば、測定されたＲＳＳＩ及び／またはＲＴＴに、少なくとも部分的に、基づいて、これらの送信機への距離を測定することを可能にするために、既知のロケーションに位置付けられた送信機のアイデンティティ及びロケーションを含み得る。屋内位置決め動作を援助するための他の位置決め支援データは、数例を挙げると、無線ヒートマップ、磁気ヒートマップ、送信機のアイデンティティ及びロケーション、ルータビリティグラフ（routeability graphs）を含み得る。
【００２２】
[00029]特定の実施では、ワイヤレスＳＴＡ間の特定のメッセージフローは、上述したような位置決め動作で使用するためのＳＴＡ間のメッセージの交換からＲＴＴの測定値を取得するために、実施され得る。特定の実施では、以下に説明するように、任意のＳＴＡは、モバイルデバイス（例えば、モバイルデバイス１００）または固定のトランシーバ（例えば、ＩＥＥＥ  ｓｔｄ．８０２．１１アクセスポイント、固定のＢｌｕｅｔｏｏｔｈデバイス、ローカルトランシーバ１１５、等）を含み得る。そのように、ワイヤレスＳＴＡ間のメッセージの交換は、数例を提供すると、モバイルデバイスと固定のトランシーバとの間の（例えば、ワイヤレスリンク１２５を通してのモバイルデバイス１００とローカルトランシーバ１１５との間の）、２つのピアモバイルデバイス間の（例えば、ワイヤレスリンク１５９を通してのモバイルデバイス１００ａと１００ｂとの間の）、または２つの固定のトランシーバ間の（例えば、ワイヤレスリンク１７９を通してのローカルトランシーバ１１５ａとローカルトランシーバ１１５ｂとの間の）メッセージの交換を備え得る。特定の実施では、ここに説明される様々な技法は、IEEE P802.11-REVmcTM/D4.0 Draft Standard 802.11 for Information technology−Telecommunications and information exchange between systems, Local and metropolitan area networks−Specific requirements Part 11: Wireless LAN Medium Access Control (MAC) and Physical Layer (PHY)，２０１５年１月，セクション１０．２３．６（以下、「ＩＥＥＥ  ｓｔｄ．８０２．１１」）の、必ずしも全てではないがいくつかの態様または特徴を組み込み得る。実際は、ここに説明するいくつかの特徴は、ＩＥＥＥ  ｓｔｄ．８０２．１１に示されていないか、説明されていないか、または教示されていないことが理解されるべきである。
【００２３】
[00030]図２は、ある実施形態に従って、「応答」ＳＴＡ及び「開始」ＳＴＡを含むワイヤレス局ＳＴＡ間のメッセージフローを例示する図である。この文脈では、応答ＳＴＡまたは開始ＳＴＡは、モバイルデバイス（例えば、モバイルデバイス１００）または固定のアクセストランシーバデバイス（例えば、ローカルトランシーバ１１５）を含むいくつかのトランシーバデバイスのうちのいずれか１つを備え得る。しかしながら、これらは、単に、開始ＳＴＡまたは応答ＳＴＡの例に過ぎず、特許請求される主題はこの点に限定されないことが理解されるべきである。開始ＳＴＡは、開始ＳＴＡと応答ＳＴＡとの間で送信されたフレームまたはメッセージのタイミングに、少なくとも部分的に、基づいて、ＲＴＴの１つまたは複数の測定値を取得または計算し得る。ここで使用されるように、「メッセージ」及び「フレーム」という用語は、交換可能に使用される。開始ＳＴＡは、ファインタイミング測定要求メッセージまたはフレーム（「要求」）２０２を、応答ＳＴＡに送信し、それに応じて送信されたファインタイミング要求メッセージ確認応答メッセージまたはフレーム（「Ａｃｋ」）２０４を受信し得る。特定の実施では、特許請求される主題をこの点に限定しないが、そのようなファインタイミング測定要求メッセージ２０２のコンテンツは、ＩＥＥＥ  ｓｔｄ．８０２．１１のセクション８．６．８．３２に示されるようなものであり得る。特定の実施では、そのようなＡｃｋフレーム２０４は、単に、前に送信されたメッセージの受信のインジケーションを提供し得るに過ぎない。開始ＳＴＡは、その後、応答ＳＴＡから受信された（及びファインタイミング測定要求メッセージの受信に応答して送信された）ファインタイミング測定メッセージまたはフレーム（「Ｍ」）２０６において提供されるタイムスタンプ値（ｔ１、ｔ４）に、少なくとも部分的に、基づいて、ＲＴＴ測定値を取得または計算し得る。特定の実施では、メッセージフロー図に示されるように、交互のファインタイミング測定メッセージ２０６及びそれに続くファインタイミング測定確認応答メッセージ２０８の一連の複数の交換は、追加のタイムスタンプ値（ｔ１、ｔ２、ｔ３及びｔ４）を作成し得る。
【００２４】
[00031]ある実施形態に従って、開始ＳＴＡによって送信されたファインタイミング測定（ＦＴＭ）要求メッセージは、開始ＳＴＡがＲＴＴ測定値を計算することを可能にするファインタイミング測定値を開始ＳＴＡに提供するために、応答ＳＴＡとのメッセージの所望の交換を特徴付けるフィールド、パラメータ、等を含み得る。ＦＴＭ要求メッセージの受信に応答して、開始ＳＴＡがＲＴＴ、または距離を示す他のパラメータを計算することを可能にするパラメータまたは測定値を含む１つまたは複数のＦＴＭメッセージを、応答ＳＴＡは、開始ＳＴＡに送信し得る。
【００２５】
[00032]特定の実施では、特許請求される主題をこの点に限定しないが、そのようなファインタイミング測定メッセージまたはフレームのコンテンツは、ＩＥＥＥ  ｓｔｄ．８０２．１１のセクション８．６．８．３３に示されるようなものであり得る。１つの例となる実施では、開始ＳＴＡは、ＲＴＴ測定値を、（ｔ４−ｔ１）−（ｔ３−ｔ２）として計算し得、ここでｔ２及びｔ３は、それぞれ、前のファインタイミング測定メッセージまたはフレームの受信の時間、及び先行する確認応答メッセージまたはフレームの送信の時間である。開始ＳＴＡは、受信ＳＴＡと応答ＳＴＡとの間の距離を計算する際にバイアスされていない測定ノイズのキャンセレーションのために組み合わされ得る、対応する数のＲＴＴ測定値を取得するために、一連のファインタイミング測定要求メッセージをバーストで送信し得る。
【００２６】
[00033]ＦＴＭ要求メッセージ及びＦＴＭメッセージは、他のサービス（例えば、インターネットプロトコルメッセージング）のためのフレームまたはメッセージに加えて、ＳＴＡによって送信され得る。空港ターミナルまたはスタジアムのイベントのような高密度なワイヤレストラフィックシナリオでは、ＲＴＴの計算のためのＦＴＭ要求メッセージ及びＦＴＭメッセージの送信は、ＳＴＡにおける利用可能なメッセージングキャパシティを強調し得る。ここに述べる特定の実施は、ＳＴＡによるより少ないメッセージの送信を使用してＳＴＡ間の距離の計算のために測定値を取得するためのメッセージの交換を対象にし得る。
【００２７】
[00034]開始ＳＴＡ及び応答ＳＴＡは、応答ＳＴＴから開始ＳＴＡに送信されたＦＴＭ測定メッセージの飛行時間（ＴＯＦ）を、開始ＳＴＡが正確に測定することを可能にするように同期され得る。特定の実施では、開始ＳＴＡ及び応答ＳＴＡは、互いに同期されるクロック信号を維持し得る。例えば、開始及び／または応答ＳＴＡは、開始ＳＴＡで維持されるような時間と応答ＳＴＡで維持されるような時間との間で変わることができ得る。開始及び応答ＳＴＡで維持されるクロックは、ＩＥＥＥ  ｓｔｄ．８０２．１１ＲＥＶｍｃ  ドラフト４．０，セクション１０．２４．５またはＩＥＥＥ  ｓｔｄ．８０２．１１ＲＥＶｍｃ  ドラフト４．０，セクション１０．２４．６によって提供または提案される技法のような、いくつかの技法のうちの１つのいずれかを使用して同期され得る。しかしながら、これは、単に、開始ＳＴＡと応答ＳＴＡとを同期する際に適用され得る技法の例に過ぎず、特許請求される主題はこの点に限定されないことが理解されるべきである。
【００２８】
[00035]ある実施形態に従って、送信デバイスからワイヤレスに送信され、受信デバイスで獲得されたメッセージのＴＯＦは、送信されたメッセージが送信時間を示すタイムスタンプ値を含む場合、測定され得る。特定の実施では、送信されたメッセージは、受信デバイスにおいて検出可能な符号化された記号を含むフィールド（例えば、プリアンブル、ヘッダ、及びペイロード）を備え得る。送信されたメッセージを獲得し、到着時間を決定するために、受信デバイスは、メッセージによって送信されている一連の記号中の特定の記号（１つ）または記号（複数）を検出または復号し得る。特定の記号は、送信されたメッセージに同じく含まれるタイムスタンプ値が参照される場合、受信デバイスは、特定の記号が復号または検出される瞬間とタイムスタンプ値との間の差に基づいて、ＴＯＦ＝ＲＴＴ／２を測定し得る。
【００２９】
[00036]特定のネットワーク中心の位置決め（network-centric positioning（ＮＣＰ））技法では、アクセスポイント（ＡＰ）は、モバイルデバイスが、モバイルデバイスのロケーションを計算するために使用され得る測定値を取得することを要求し得る。例えば、ＡＰは、例えばＩＥＥＥ  ｓｔｄ．８０２．１１セクション１０．１１．９．１１に説明されているように、複数のデバイスと交換されたメッセージ（例えば、エリアにおいて動作しているＡＰ及び他のＡＰと交換されたメッセージ）に基づいて、モバイルデバイスが測定値を取得することを要求するために、ＦＴＭ距離要求メッセージをモバイルデバイスに送信し得る。図３に例示されるように、アクセスポイントＡＰ１は、ＦＴＭ距離要求メッセージ３０２をモバイルデバイスＳＴＡ１に送信する。特定の実施では、ＦＴＭ距離報告メッセージ３０２は、ＩＥＥＥ  ＩＥＥＥ  ｓｔｄ．８．４．２．２０．１９に従って送信され得る。いくつかの例を提供すると、モバイルデバイスＳＴＡ１は、その後、例えば、ＲＴＴまたはＴＯＡのような測定値を取得するために、アクセスポイントＡＰ１、アクセスポイントＡＰ２、及びアクセスポイントＡＰ３との１つまたは複数のメッセージ交換３０８（例えば、ＦＴＭ要求メッセージ及びＦＴＭメッセージ）を有し得る。モバイルデバイスＳＴＡ１は、その後、ＩＥＥＥ  ｓｔｄ．８０２．１１セクション８．４．２．２１．１８に説明されているように、例えば、アクセスポイントＡＰ１、ＡＰ２もしくはＡＰ３、またはそれらの任意の組み合わせへの距離を示すパラメータ（例えば、測定された距離、ＲＴＴ測定値、ＴＯＡ測定値または距離を示す他の測定値）を含むＦＴＭ距離報告メッセージ３０８を送信し得る。
【００３０】
[00037]この文脈では、少なくとも１つの他の隣接ワイヤレストランシーバデバイスへの距離を示す観測結果（例えば、メッセージ、信号、等）を取得することができるワイヤレストランシーバデバイスを、モバイルデバイスＳＴ１が備える点で、モバイルデバイスＳＴ１は、「観測ワイヤレストランシーバデバイス」の特有の例を提供する。しかしながら、モバイルデバイスＳＴ１は、単に、観測ワイヤレストランシーバデバイスの例に過ぎず、他のタイプのワイヤレストランシーバデバイス（例えば、固定のアクセスポイント）が、特許請求される主題から逸脱することなく使用され得ることが理解されるべきである。また、隣接ワイヤレストランシーバデバイスの観測結果を取得する際に観測ワイヤレストランシーバデバイスによって使用され得るパラメータ、値、等を提供することを備えるメッセージを、観測ワイヤレストランシーバデバイスに送信することができるワイヤレストランシーバデバイスを、アクセスポイントＡＰ１が備える点で、アクセスポイント１は、「支援ワイヤレストランシーバデバイス」の特定の例を提供し得る。しかしながら、アクセスポイントＡＰ１は、単に、支援ワイヤレストランシーバデバイスの例に過ぎず、他のタイプのワイヤレストランシーバデバイス（例えば、モバイルデバイス）が、特許請求される主題から逸脱することなく使用され得ることが理解されるべきである。
【００３１】
[00038]ある実施形態に従って、ＦＴＭ距離要求メッセージ３０２は、アクセスポイントＡＰ１、ＡＰ２、及びＡＰ３のような隣接ワイヤレストランシーバデバイスとのメッセージの１つまたは複数の交換３０４を開始またはそれに参加する際に、モバイルデバイスＳＴＡ１によって使用され得るパラメータを提供し得る。そのようなメッセージの交換３０４は、モバイルデバイスＳＴＡ１が、例えば、ＲＴＴ、ＴＯＦ、または距離の測定値のような、モバイルデバイスＳＴＡ１と隣接ワイヤレストランシーバデバイスとの間の距離を示すオンのまたはより大きい測定値または観測結果を取得することを可能にし得る。１つの例となる実施では、モバイルデバイスＳＴＡ１と隣接ワイヤレストランシーバデバイスとの間でのメッセージの交換３０４は、上述したように、開始ＳＴＡの役割をするモバイルデバイスＳＴＡ１、及び応答ＳＴＡの役割をする隣接ワイヤレストランシーバデバイスとして実行され得る。代替の実施では、モバイルデバイスＳＴＡ１と隣接ワイヤレストランシーバデバイスとの間のメッセージの交換３０４は、上述したように、応答ＳＴＡの役割をするモバイルデバイスＳＴＡ１、及び開始ＳＴＡの役割をする隣接ワイヤレストランシーバデバイスとして実行され得る。例となる実施形態では、モバイルデバイスＳＴＡ１と隣接ワイヤレストランシーバデバイスとの間のネゴシエーション３１０は、その後のメッセージの交換３０４に関して開始ＳＴＡ及び応答ＳＴＡとしての役目の決定を可能にし得る。ここで、この特定の例となる実施では、モバイルデバイスＳＴＡ１は、開始の役割をし得、一方で、アクセスポイントＡＰ１、ＡＰ２、及びＡＰ３は、モバイルデバイスＳＴＡ１に対して応答ＳＴＡとして動作し得る。
【００３２】
[00039]図４は、図３に示されるアクセスポイントＡＰ１のような支援ワイヤレストランシーバデバイスにおいて行われ得る処理を例示する。ブロック４０２において、ＦＴＭ距離要求メッセージのような１つまたは複数のメッセージは、モバイルデバイスＳＴＡ１のような観測ワイヤレストランシーバデバイスに送信され得る。図５は、図３に示されるモバイルデバイスＳＴＡ１のような観測ワイヤレストランシーバデバイスで行われ得る相補的な処理を例示する。ブロック５０２において、モバイルデバイスＳＴＡ１のような観測ワイヤレストランシーバデバイスは、アクセスポイントＡＰ１のような支援ワイヤレストランシーバデバイスからの、ＦＴＭ距離要求メッセージのような１つまたは複数のメッセージを受信し得る。ブロック５０４において、観測ワイヤレストランシーバデバイスは、上述したように、ブロック５０２において受信された１つまたは複数のメッセージにおける１つまたは複数のパラメータに、少なくとも部分的に、基づいて、１つまたは複数の隣接ワイヤレストランシーバデバイスとメッセージを交換し得る。例えば、観測ワイヤレストランシーバデバイスは、ブロック５０２において受信された１つまたは複数のメッセージにおいて広帯域幅チャネルサブエレメントに基づくチャネル上で、隣接ワイヤレストランシーバデバイスにＦＴＭ要求メッセージを送信し得る。これは、例えば、観測ワイヤレストランシーバデバイスが、ＦＴＭ要求メッセージを送信すべきチャネルについてスキャンするあらゆる必要性を避け得る。１つまたは複数の隣接ワイヤレストランシーバデバイスとのメッセージの交換に基づいて、観測ワイヤレストランシーバデバイスは、隣接ワイヤレストランシーバデバイスへの距離を示す観測結果またはパラメータを取得し得る。オプションの実施では、隣接ワイヤレストランシーバデバイスへの距離を示すこれらの観測結果またはパラメータは、ブロック４０４において受信された１つまたは複数の報告メッセージにおいて、支援ワイヤレストランシーバデバイスに戻して報告され得る。
【００３３】
[00040]図３の特定の実施では、支援ワイヤレストランシーバデバイスの役割をするアクセスポイントＡＰ１からの（例えば、ブロック４０２で送信された）ＦＴＭ距離要求メッセージは、モバイルデバイスＳＴＡ１が、観測結果または測定値を取得するためのメッセージを交換し得る特定の隣接ワイヤレストランシーバデバイス（例えば、ＡＰ２及びＡＰ３）を示し得る。図６は、「隣接報告サブエレメント」フィールド及び「オプションのサブエレメント」フィールドを含む特定の実施に従って、支援ワイヤレストランシーバデバイスから送信されたメッセージのフィールドを示す。ここで、複数の隣接報告サブエレメントフィールドは、受信者観測ワイヤレストランシーバデバイスが、観測結果または測定値を取得するためのメッセージを交換し得る特定の隣接ワイヤレストランシーバデバイスを指定または特徴付け得る。図７は、対応する隣接ワイヤレストランシーバデバイスのアイデンティティ、及び対応する隣接ワイヤレストランシーバデバイスが現在動作している周波数チャネルを示すために、ＢＳＳＩＤ、ＢＳＳＩＤ情報、及びチャネル番号のようなフィールドを含む隣接報告サブエレメントフィールドのフィールドを示す。
【００３４】
[00041]図７の特定の実施は、さらに、対応する隣接ワイヤレストランシーバデバイスに関する隣接報告サブエレメントフィールドが、添付の「オプションのサブエレメント」フィールドを含み得ることを示す。オプションのサブエレメントフィールド内のフィールドは、図８に示される特定のサブエレメントを含み得る。図８に示される特定のサブエレメントの１つの特定の実施では、サブエレメントＩＤ１９３は、高スループット（ＨＴ）または超高スループット（ＶＨＴ）パラメータのような隣接ワイヤレストランシーバデバイスの現在のチャネル動作特性を特徴付けるパラメータを含むために、図９に示されるように、広帯域幅チャネルサブエレメントを備え得る。チャネル幅、及びセグメント０及び１に関するチャネル中心周波数におけるＨＴまたはＶＨＴパラメータを指定するための値の例は、例えば、図１１及び１２の表に示される。
【００３５】
[00042]図４及び５の処理が、例示の目的で、具体的な実施として、隣接報告サブエレメントの使用への具体的な参照を行っているが、類似のパラメータ、インジケーション、等が、メッセージにおける異なるフィールドを使用してメッセージにおいて観測ワイヤレストランシーバデバイスに同様に提供または送信され得ることが理解されるべきである。加えて、広帯域幅チャネルサブエレメントの具体的な使用は、特定の実施形態に関して説明されるけれど、フィールド内の異なるパラメータは、特許請求される主題から逸脱することなく使用され得ることが理解されるべきである。他の例となる実施では、隣接ワイヤレストランシーバデバイスの現在の動作を特徴付ける他のパラメータ。例えば、広帯域幅チャネルサブエレメント以外の代替のパラメータまたはフィールドは、特許請求された主題から逸脱することなく、隣接ワイヤレストランシーバデバイスの現在のチャネル動作を特徴付けるパラメータ（例えば、図１１及び１２の表に示されるチャネル幅、及びセグメント０及び１に関するチャネル中心周波数）を伝えるために使用され得る。ここで、最小のスキャニングでまたはスキャニング無しで捕捉を可能にするためにこれらがある。隣接ワイヤレストランシーバデバイスの現在のチャネル動作を特徴付けるこれらの代替のパラメータまたはフィールドを受信して、観測ワイヤレストランシーバデバイスは、メッセージを開始し得、ワイヤレストランシーバデバイスは、低減されたまたは除去されたスキャニングで、（例えば、レンジングするための）メッセージを交換するためのセッションを開始し得る。
【００３６】
[00043]特定の実施では、図９の広帯域幅チャネルサブエレメントの新しいチャネル幅フィールド内のビットは、図１０の特定の実施に従って、フォーマットされ得る。示されるように、初めの２つのビットは、セカンダリチャネルオフセットを指定し得、４つのリザーブドビットが後に続き、新しいチャネル幅を指定する２つのビットが続く。ここで、セカンダリチャネルオフセットを指定する２つのビットは、プライマリチャネルの中心周波数に対してセカンダリチャネルの周波数オフセットを示し得る。ここで、８０ＭＨｚまたはそれより大きいチャネル帯域幅に関して、８０＋８０のケースではプライマリ８０または１６０ＭＨｚセグメント及びセカンダリ８０ＭＨｚセグメントの中心周波数は、それぞれ、広帯域幅チャネルサブエレメントのセグメント０及び１フィールドに関する前述のチャネル中心周波数において指定され得る。特定の実施では、セカンダリチャネルオフセットを指定する２つのビットは、プライマリチャネルの中心周波数に対するセカンダリチャネルの中心周波数のオフセットが、セカンダリチャネルオフセットフィールドが１に設定される場合、プライマリチャネルの中心周波数を上回る（例えば、それより高い）ことを指定し得る。同様に、セカンダリチャネルオフセットを指定する２つのビットに関する３の値は、セカンダリチャネルの中心周波数が、プライマリチャネルの中心周波数を下回る（例えば、それより低い）ことを指定し得る。セカンダリオフセットを指定する２つのビットに関するゼロの値は、セカンダリチャネルが存在しないことを示し得る。動作的なチャネル特性を符号化することの特定の制限されない例は、図１１及び図１２に要約される。
【００３７】
[00044]上述したように、隣接ワイヤレストランシーバデバイスのための隣接報告サブエレメントにおける広帯域幅チャネルサブエレメントを使用してＨＴまたはＶＨＴパラメータを指定することは、プローブ要求またはビーコン信号の捕捉を送ることによって、これらのパラメータを取得するための観測ワイヤレストランシーバデバイスのあらゆる必要性を避け得る。これは、レンジング動作を行うことに関して、低減された電力消費及び低減された時間を可能にし得る。例えば、これは、ＦＴＭネゴシエーション３１０またはメッセージまたはフレーム交換３０４の前の、プローブ信号またはビーコン信号の捕捉の送信を避け得る。
【００３８】
[00045]隣接報告サブエレメントにおいてＨＴまたはＶＨＴパラメータを指定することの特定の例は、図３に示されるようにＦＴＭ距離要求メッセージ３０２に適用可能であるが、上で説明したように、広帯域幅チャネルサブエレメントは、他の類似のメッセージにおいて実施され得る。図１３の特定の実施では、（例えば、観測ワイヤレストランシーバデバイスの役割をする）モバイルデバイスＳＴ１は、ＩＥＥＥ  ｓｔｄ．８０２．１１ｋに従って、（例えば、支援ワイヤレストランシーバデバイスの役割をする）アクセスポイントＡＰ１に、隣接報告要求メッセージ８０２を送信し得る。ここで、隣接報告要求メッセージ８０２に応答して、アクセスポイントＡＰ１は、隣接報告メッセージ８０４を送信し得る。ここで、隣接報告応答メッセージ８０６は、上で説明したように、１つまたは複数のＷＢＣＳエレメントを含む１つまたは複数の隣接報告サブエレメントを含み得る。これは、上述したように、モバイルデバイスＳＴ１が、レンジングパラメータを取得するために隣接ワイヤレストランシーバデバイス（例えば、アクセスポイントＡＰ１、ＡＰ２、ＡＰ３、及びＡＰ４）とメッセージまたはフレーム８０４の交換を開始することを可能にし得る。例えば、モバイルデバイスは、メッセージまたはフレーム８０４の交換において、距離を示す測定値または観測結果を取得するために、開始ＳＴＡまたは応答ＳＴＡの役割をし得る。
【００３９】
[00046]図１４に図示された別の例となる実施では、モバイルデバイスＳＴＡ１は、ＩＥＥＥ  ｓｔｄ．８０２．１１ｕ下のアクセスネットワーククエリプロトコル（ＡＮＱＰ）に従って、クライアントとしてアクセスポイントＡＰ１とインタラクトし得る。特定の実施では、ＡＮＱＰは、（例えば、支援ワイヤレストランシーバデバイスの役割をする）アクセスポイントＡＰ１が、アクセスポイントを選択する際にモバイルデバイスＳＴＡ１によって使用するために（例えば、観測ワイヤレストランシーバデバイスの役割をする）モバイルデバイスにメタデータを提供することを可能にし得る。ここで、モバイルデバイスＳＴＡ１は、ＡＮＱＰクエリ要求メッセージ９０２を送信し得る。アクセスポイントＡＰ１は、数ある中でも、ＡＰオペレータのドメイン名、アクセスポイントＡＰ１において利用可能なインターネットプロトコル（ＩＰ）アドレス、及びアクセスポイントＡＰ１を通じてアクセス可能な潜在的なローミングパートナーズについての情報を含むＡＮＱＰクエリ応答メッセージ９０４を送信し得る。加えて、特定の実施では、ＡＮＱＰクエリ応答メッセージ９０４は、上で説明したように、１つまたは複数のＷＢＣＳエレメントを含む１つまたは複数の隣接報告サブエレメントを含み得る。これは、モバイルデバイスＳＴ１が、上述したように、レンジングパラメータを取得するために、隣接ワイヤレストランシーバデバイス（例えば、アクセスポイントＡＰ１、ＡＰ２、ＡＰ３、及びＡＰ４）とメッセージまたはフレームの交換９０４を開始することを可能にし得る。例えば、モバイルデバイスは、メッセージまたはフレームの交換９０４において、距離を示す測定値または観測結果を取得するために、開始ＳＴＡまたは応答ＳＴＡの役割をし得る。
【００４０】
[00047]図１５は、ある実施形態に従ったモバイルデバイスの概略図である。モバイルデバイス１００（図１）は、図１５に示されるモバイルデバイス１１００の１つまたは複数の特徴を備え得る。ある特定の実施形態では、モバイルデバイス１１００はまた、ワイヤレス通信ネットワークを通してワイヤレスアンテナ１１２２を介してワイヤレス信号１１２３を送信及び受信することができるワイヤレストランシーバ１１２１を備え得る。ワイヤレストランシーバ１１２１は、ワイヤレストランシーババスインタフェース１１２０によってバス１１０１に接続され得る。ワイヤレストランシーババスインタフェース１１２０は、いくつかの実施形態では、ワイヤレストランシーバ１１２１と少なくとも部分的に一体化され得る。いくつかの実施形態は、数例を挙げると、例えば、ＩＥＥＥ  Ｓｔｄ．８０２．１１、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）及びＢｌｕｅｔｏｏｔｈのバージョンのような、対応する複数のワイヤレス通信規格に従って信号を送信及び／または受信することを可能にするために、複数のワイヤレストランシーバ１１２１及びワイヤレスアンテナ１１２２を含み得る。
【００４１】
[00048]モバイルデバイス１１００はまた、ＳＰＳアンテナ１１５８を介してＳＰＳ信号１１５９を受信及び捕捉することができるＳＰＳ受信機１１５５を備え得る。ＳＰＳ受信機１１５５はまた、モバイルデバイス１０００のロケーションを推定するための捕捉されたＳＰＳ信号１１５９を全体的または部分的に処理し得る。いくつかの実施形態では、汎用プロセッサ（１つまたは複数）１１１１、メモリ１１４０、ＤＳＰ（１つまたは複数）１１１２及び／または特殊プロセッサ（図示せず）はまた、ＳＰＳ受信機１１５５と共に、全体的または部分的に、捕捉されたＳＰＳ信号を処理する、及び／または、モバイルデバイス１１００の推定されるロケーションを算出するために利用され得る。位置決め動作を行う際に使用するためのＳＰＳまたは他の信号の記憶は、メモリ１１４０またはレジスタ（図示せず）において行われ得る。
【００４２】
[00049]また、図１５に示されるように、モバイルデバイス１１００は、バスインタフェース１１１０によってバス１１０１に接続されたデジタルシグナルプロセッサ（ＤＳＰ）（１つまたは複数）１１１２、バスインタフェース１１１０によってバス１１０１に接続された汎用プロセッサ（１つまたは複数）１１１１、及びメモリ１１４０を備え得る。バスインタフェース１１１０は、ＤＳＰ（１つまたは複数）１１１２、汎用プロセッサ（１つまたは複数）１１１１、及びメモリ１１４０と一体化され得る。様々な実施形態では、機能は、数例を挙げると、ＲＡＭ、ＲＯＭ、ＦＬＡＳＨまたはディスクドライブのようなコンピュータ読み取り可能な記憶媒体上のような、メモリ１１４０に記憶された１つまたは複数の機械読み取り可能な命令の応答実行で行われ得る。１つまたは複数の命令は、汎用プロセッサ（１つまたは複数）１１１１、特殊プロセッサ、またはＤＳＰ（１つまたは複数）１１１２によって実行可能であり得る。メモリ１１４０は、ここに説明されている機能を行うように、プロセッサ（１つまたは複数）１１１１及び／またはＤＳＰ（１つまたは複数）１１１２によって実行可能であるソフトウェアコード（プログラミングコード、命令、等）を記憶する、非一時的なプロセッサ読み取り可能なメモリ及び／またはコンピュータ読み取り可能なメモリを備え得る。特定の実施では、ワイヤレストランシーバ１１２１は、上述したように、モバイルデバイス１１００が、ワイヤレスＳＴＡとして構成されることを可能にするために、バス１１０１を通じて汎用プロセッサ（１つまたは複数）１１１１及び／またはＤＳＰ（１つまたは複数）１１１２と通信し得る。汎用プロセッサ（１つまたは複数）１１１１及び／またはＤＳＰ（１つまたは複数）１１１２は、図４及び図５に関連して上述した処理のうちの１つまたは複数の態様を実行するように、命令を実行し得る。
【００４３】
[00050]１つの特定の実施では、ＦＴＭ測定要求メッセージに応答するＡＣＫメッセージの送信は、汎用プロセッサ（１つまたは複数）１１１１またはＤＳＰ（１つまたは複数）１１１２からの命令または開始なしに、ワイヤレストランシーバデバイス１１２１によって行われ得る。他方、ＦＴＭ距離報告メッセージは、（例えば、メモリ１１４０に記憶された１つまたは複数の機械読み取り可能な命令の実行から）汎用プロセッサ（１つまたは複数）１１１１及び／またはＤＳＰ（１つまたは複数）１１１２のようなプログラマブルデバイスにおいて形成され得る。
【００４４】
[00051]また、図１５に示されるように、ユーザインタフェース１１３５は、数例を挙げると、例えば、スピーカ、マイクロフォン、ディスプレイデバイス、振動デバイス、キーボード、タッチスクリーンのような、いくつかのデバイスのうちのいずれか１つを備え得る。特定の実施では、ユーザインタフェース１１３５は、ユーザが、モバイルデバイス１１００上にホストされる１つまたは複数のアプリケーションとインタラクトすることを可能にし得る。例えば、ユーザインタフェース１１３５のデバイスは、ユーザからのアクションに応答して、ＤＳＰ（１つまたは複数）１１１２または汎用／アプリケーションプロセッサ１１１１によってさらに処理されるアナログまたはデジタル信号をメモリ１１４０上に記憶し得る。同様に、モバイルデバイス１１００上にホストされるアプリケーションは、出力信号をユーザに提示するためにアナログまたはデジタル信号をメモリ１１４０上に記憶し得る。別の実施では、モバイルデバイス１１００は、オプションとして、例えば、専用スピーカ、マイクロフォン、デジタル−アナログ回路、アナログ−デジタル回路、増幅器、及び／または利得制御を備える専用オーディオ入力／出力（Ｉ／Ｏ）デバイス１１７０を含み得る。しかしながら、これは、単に、オーディオＩ／Ｏがモバイルデバイスにおいてどのように実施され得るかの例に過ぎず、特許請求される主題はこの点に限定されないことが理解されるべきである。別の実施では、モバイルデバイス１１００は、キーボードまたはタッチスクリーンデバイスへのタッチまたは圧力に反応するタッチセンサ１１６２を備え得る。
【００４５】
[00052]モバイルデバイス１１００は、また、静止画または動画（still or moving imagery）をキャプチャするための専用カメラデバイス１１６４を備え得る。専用カメラデバイス１１６４は、数例を挙げると、例えば、イメージングセンサ（例えば、電荷結合素子またはＣＭＯＳイメージャ）、レンズ、アナログ−デジタル回路、フレームバッファを備え得る。１つの実施では、キャプチャされたイメージを表す信号の追加の処理、調整、符号化または圧縮は、汎用／アプリケーションプロセッサ１１１１またはＤＳＰ（１つまたは複数）１１１２において行われ得る。代替的に、専用ビデオプロセッサ１１６８は、キャプチャされた画像を表す信号の調整、符号化、圧縮、または操作を行い得る。加えて、専用ビデオプロセッサ１１６８は、モバイルデバイス１１００上のディスプレイデバイス（図示せず）上での提示のために、記憶されたイメージデータを復号／圧縮解除し得る。
【００４６】
[00053]モバイルデバイス１１００はまた、例えば、慣性センサ及び環境センサを含み得る、バス１１０１に結合されたセンサ１１６０を備え得る。センサ１１６０の慣性センサは、例えば、（例えば、３次元におけるモバイルデバイス１１００の加速度に集合的に応答する）加速度計、１つまたは複数のジャイロスコープ、または（例えば、１つまたは複数のコンパスアプリケーションをサポートするための）１つまたは複数の磁力計を備え得る。モバイルデバイス１１００の環境センサは、数例を挙げると、例えば、温度センサ、大気圧センサ、周辺光センサ、カメライメージャ、マイクロフォンを備え得る。センサ１１６０は、メモリ１１４０に記憶され得、例えば、位置決めまたはナビゲーション動作を対象とするアプリケーションのような１つまたは複数のアプリケーションをサポートして、ＤＰＳ（１つまたは複数）または汎用／アプリケーションプロセッサ１１１１によって処理され得るアナログまたはデジタル信号を生成し得る。
【００４７】
[00054]特定の実施では、モバイルデバイス１１００は、ワイヤレストランシーバ１１２１またはＳＰＳ受信機１１５５において受信及びダウンコンバートされる信号のベースバンド処理を行うことができる専用モデムプロセッサ１１６６を備え得る。同様に、専用モデムプロセッサ１１６６は、ワイヤレストランシーバ１１２１による送信のためにアップコンバートされることとなる信号のベースバンド処理を行い得る。代替の実施では、専用モデムプロセッサを有する代わりに、ベースバンド処理は、汎用プロセッサまたはＤＳＰ（例えば、汎用／アプリケーションプロセッサ１１１１またはＤＳＰ（１つまたは複数）１１１２）によって行われ得る。しかしながら、これらは、単に、ベースバンド処理を行い得る構造の例に過ぎず、特許請求される主題はこの点に限定されないことが理解されるべきである。
【００４８】
[00055]図１６は、例えば、図１に関連して上で説明した技法または処理を実施するように構成可能な１つまたは複数のデバイスを含み得る例となるシステム１８００を例示する概略図である。システム１８００は、例えば、第１のデバイス１８０２、第２のデバイス１８０４、及び第３のデバイス１８０６を含み得、それらは、ワイヤレス通信ネットワークを通じて互いに動作可能に結合され得る。ある態様では、第１のデバイス１８０２は、例えば、示されるように、アクセスポイントを備え得る。第２のデバイス１８０４は、ある態様では、アクセスポイント（例えば、ローカルトランシーバ１１５または基地局トランシーバ１１０）を備え得、第３のデバイス１８０６は、モバイル局またはモバイルデバイスを備え得る。また、ある態様では、デバイス１８０２、１８０４及び１８０２は、ワイヤレス通信ネットワークに含まれ得、例えば、１つまたは複数のワイヤレスアクセスポイントを備え得る。しかしながら、特許請求される主題は、これらの点の範囲に限定されない。
【００４９】
[00056]第１のデバイス１８０２、第２のデバイス１８０４、及び第３のデバイス１８０６は、図１６に示されるように、ワイヤレス通信ネットワークを通してデータを交換するように構成可能であり得る任意のデバイス、機器（appliance）または機械（machine）を表し得る。限定ではなく例として、第１のデバイス１８０２、第２のデバイス１８０４、または第３のデバイス１８０６のいずれも、例えば、デスクトップコンピュータ、ラップトップコンピュータ、ワークステーション、サーバデバイス、または同様のもののような１つまたは複数のコンピューティングデバイスまたはプラットフォーム；例えば、携帯情報端末、モバイル通信デバイス、または同様のもののような１つまたは複数のパーソナルコンピューティングまたは通信デバイスまたは機器；例えば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムのようなコンピューティングシステムまたは関連するサービスプロバイダ機能（capability）；またはこれらの任意の組み合わせを含み得る。第１のデバイス１８０２、第２のデバイス１８０４、及び第３のデバイス１８０６のいずれも、それぞれ、ここに説明された例に従った、アクセスポイントまたはモバイルデバイスのうちの１つまたは複数を備え得る。
【００５０】
[00057]同様に、ワイヤレス通信ネットワークは、図１６に示されるように、第１のデバイス１８０２、第２のデバイス１８０４、及び第３のデバイス１８０６のうちの少なくとも２つの間でのデータの交換をサポートするように構成可能な、１つまたは複数の通信リンク、処理、またはリソースを表す。限定ではなく例として、ワイヤレス通信ネットワークは、ワイヤレスもしくはワイヤード通信リンク、電話もしくは電気通信システム、データバスもしくはチャネル、光ファイバ、地上もしくは宇宙ビークル（space vehicle）リソース、ローカルエリアネットワーク、ワイドエリアネットワーク、イントラネット、インターネット、ルータもしくはスイッチ、及び同様のもの、またはこれらの任意の組み合わせを含み得る。例えば、第３のデバイス１８０６の部分的に隠されて例示されている破線のボックスによって例示されるように、ワイヤレス通信ネットワーク１８０８に動作可能に結合された追加的な同様のデバイスがあり得る。
【００５１】
[00058]図１６に示される様々なデバイス及びネットワーク、及びここにさらに説明される処理及び方法の全てまたは一部は、ハードウェア、ファームウェア、ソフトウェア、またはこれらの任意の組み合わせを使用して、またはそうでなければこれらを含んで、実施され得ることが認識される。
【００５２】
[00059]したがって、限定ではなく例として、第２のデバイス１８０４は、バス１８２８を通じてメモリ１８２２に動作可能に結合された少なくとも１つの処理ユニット１８２０を含み得る。
【００５３】
[00060]処理ユニット１８２０は、データコンピューティングプロシージャまたは処理の少なくとも一部を行うように構成可能な１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、及び同様のもの、またはそれらの任意の組み合わせを含み得る。
【００５４】
[00061]メモリ１８２２は、任意のデータストレージメカニズムを表す。メモリ１８２２は、例えば、プライマリメモリ１８２４またはセカンダリメモリ１８２６を含み得る。プライマリメモリ１８２４は、例えば、ランダムアクセスメモリ、読み取り専用メモリ、等を含み得る。この例では、処理ユニット１８２０から分離しているものとして例示されているが、プライマリメモリ１８２４の全てまたは一部が、処理ユニット１８２０内に提供され得る、またはそうでなければ、処理ユニット１８２０とコロケート（co-located）／結合され得ることが理解されるべきである。特定の実施では、メモリ１８２２及び処理ユニット１８２０は、図４及び５に関連して上述した処理の１つまたは複数の態様を実行するように構成され得る。
【００５５】
[00062]セカンダリメモリ１８２６は、例えば、プライマリメモリと同じまたは類似のタイプのメモリ、または、例えば、ディスクドライブ、光ディスクドライブ、テープドライブ、ソリッドステートメモリドライブ、等のような１つまたは複数のデータ記憶デバイスもしくはシステムを含み得る。ある特定の実施では、セカンダリメモリ１８２６は、コンピュータ読み取り可能な媒体１８４０を動作可能に受け入れ得る、またはそうでなければ、それに結合するように構成可能であり得る。コンピュータ読み取り可能な媒体１８４０は、例えば、システム１８００におけるデバイスのうちの１つまたは複数のためのアクセス可能なデータ、コード、または命令を搬送または成すことができる任意の非一時的な媒体を含み得る。コンピュータ読み取り可能な媒体１８４０はまた、記憶媒体と称され得る。
【００５６】
[00063]第２のデバイス１８０４は、例えば、少なくともアンテナ１８０８を通じたワイヤレス通信ネットワークへの第２のデバイス１８０４の動作的な結合を提供する、またはそうでなければ、サポートする通信インタフェース１８３０を含み得る。限定ではなく例として、通信インタフェース１８３０は、ネットワークインタフェースデバイスまたはカード、モデム、ルータ、スイッチ、トランシーバ、及び同様のものを含み得る。他の代替の実施では、通信インタフェース１８３０は、ワイヤード／ＬＡＮインタフェース、ワイヤレスＬＡＮインタフェース（例えば、ＩＥＥＥ  ｓｔｄ．８０２．１１ワイヤレスインタフェース）及び／またはワイドエリアネットワーク（ＷＡＮ）エアインタフェースを備え得る。特定の実施では、通信インタフェース１８３０との組み合わせでアンテナ１８０８は、図４及び５に例示されたような信号の送信及び受信を実施するために使用され得る。
【００５７】
[00064]１つの特定の実施では、ＦＴＭ測定要求メッセージに応答したＡＣＫメッセージの送信は、処理ユニット１８３０からの命令または開始なしに、通信インタフェース１８３０において行われ得る。他方、ＦＴＭ距離報告メッセージは、（例えば、メモリ１８２０に記憶された１つまたは複数の機械読み取り可能な命令の実行から）処理ユニット１８２０のようなプログラマブルデバイスにおいて形成され得る。
【００５８】
[00065]第２のデバイス１８０４は、例えば、入力／出力デバイス１８３２を含み得る。入力／出力デバイス１８３２は、人間の入力または機械の入力を受け入れる、またはそうでなければ取り入れる（introduce）ように構成可能であり得る１つまたは複数のデバイスもしくは特徴、または、人間の出力または機械の出力を伝達、またはそうでなければ提供するように構成可能であり得る１つまたは複数のデバイスもしくは特徴を表す。限定ではなく例として、入力／出力デバイス１８３２は、動作可能に構成されたディスプレイ、スピーカ、キーボード、マウス、トラックボール、タッチスクリーン、データポート、等を含み得る。別の特定の実施は、観測ワイヤレストランシーバデバイスを対象とし、観測ワイヤレストランシーバデバイスは、１つまたは複数の隣接報告サブエレメントフィールドを備える、支援ワイヤレストランシーバデバイスからの１つまたは複数のメッセージを受信するための手段、隣接報告サブエレメントフィールドのうちの少なくとも１つは、１つまたは複数の隣接ワイヤレストランシーバデバイスのうちの１つまたは複数のパラメータを指定する広帯域幅チャネルサブエレメントを備える、と、１つまたは複数のパラメータに、少なくとも部分的に、基づいて、隣接ワイヤレストランシーバデバイスとメッセージを交換するための手段とを備える。１つの実施形態では、広帯域幅チャネルサブエレメントは、１つまたは複数の隣接トランシーバデバイスのうちの少なくとも１つの高スループット（ＨＴ）または超高スループット（ＨＴ）パラメータをさらに指定する。別の実施形態では、観測ワイヤレストランシーバデバイスは、メッセージを交換することに、少なくとも部分的に、基づいて、１つまたは複数の隣接ワイヤレストランシーバデバイスのうちの少なくとも１つへの距離を示す１つまたは複数の測定値を取得するための手段をさらに備える。別の実施形態では、観測ワイヤレストランシーバデバイスは、取得された１つまたは複数の測定値に、少なくとも部分的に、基づいて、支援ワイヤレストランシーバデバイスに、１つまたは複数のファインタイミング測定（ＦＴＭ）距離報告メッセージを送信するための手段をさらに備える。別の実施形態では、広帯域幅チャネルサブエレメントは、少なくとも１つのプライマリチャネルの中心周波数、及び少なくとも１つのプライマリチャネルの中心周波数からのセカンダリセグメントの中心周波数の周波数オフセットをさらに指定する。別の実施形態では、１つまたは複数の隣接報告サブエレメントフィールドを備える１つまたは複数のメッセージは、隣接報告要求メッセージに応答して送信される１つまたは複数の隣接報告応答メッセージを備える。別の実施形態では、１つまたは複数の隣接報告サブエレメントフィールドを備える１つまたは複数のメッセージは、１つまたは複数のファインタイミング測定（ＦＴＭ）距離要求メッセージを備える。
【００５９】
[00066]別の特定の実施は、非一時的な記憶媒体を対象とし、非一時的な記憶媒体は、１つまたは複数の隣接報告サブエレメントフィールドを備える、支援ワイヤレストランシーバデバイスから受信された１つまたは複数のメッセージを取得すること、隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える、と、指定された１つまたは複数のパラメータに、少なくとも部分的に、基づいて、隣接ワイヤレストランシーバデバイスとメッセージの交換を開始することとを行うように、観測第１のワイヤレストランシーバデバイスの１つまたは複数のプロセッサによって実行可能である記憶された機械読み取り可能な命令を備える。１つの実施形態では、広帯域幅チャネルサブエレメントは、１つまたは複数の隣接トランシーバデバイスのうちの少なくとも１つの高スループット（ＨＴ）または超高スループット（ＶＨＴ）パラメータをさらに指定する。別の特定の実施形態では、命令は、メッセージを交換することに、少なくとも部分的に、基づいて、１つまたは複数の隣接ワイヤレストランシーバデバイスのうちの少なくとも１つへの距離を示す１つまたは複数の測定値をさらに取得するように実行可能である。別の実施形態では、命令は、取得された１つまたは複数の測定値に、少なくとも部分的に、基づいて、支援ワイヤレストランシーバデバイスへの１つまたは複数のファインタイミング測定（ＦＴＭ）距離報告メッセージの送信をさらに開始するように実行可能である。別の実施形態では、広帯域幅チャネルサブエレメントは、少なくとも１つのプライマリチャネルの中心周波数、及び少なくとも１つのプライマリチャネルの中心周波数からのセカンダリセグメントの中心周波数の周波数オフセットをさらに指定する。別の実施形態では、１つまたは複数の隣接報告サブエレメントフィールドを備える１つまたは複数のメッセージは、隣接報告要求メッセージに応答して送信された１つまたは複数の隣接報告応答メッセージを備える。別の実施形態では、１つまたは複数の隣接報告サブエレメントフィールドを備える１つまたは複数のメッセージは、１つまたは複数のファインタイミング測定（ＦＴＭ）距離要求メッセージを備える。別の実施形態では、１つまたは複数のメッセージは、１つまたは複数の隣接報告サブエレメントフィールドを備え、１つまたは複数のファインタイミング測定（ＦＴＭ）距離要求メッセージを備える。別の実施形態では、１つまたは複数のメッセージは、１つまたは複数の隣接報告サブエレメントフィールドを備え、１つまたは複数のファインタイミング測定（ＦＴＭ）距離要求メッセージを備える。別の実施形態では、支援ワイヤレストランシーバデバイスから送信された１つまたは複数のメッセージは、アクセスネットワーククエリプロトコル（ＡＮＱＰ）クエリ要求メッセージに応答して送信された少なくとも１つのＡＮＱＰクエリ応答メッセージを備える。
【００６０】
[00067]別の特定の実施は、支援ワイヤレストランシーバデバイスを対象とし、支援ワイヤレストランシーバデバイスは、観測ワイヤレストランシーバデバイスから第１のメッセージを受信するための手段と、第１のメッセージの受信に応答して、観測ワイヤレストランシーバデバイスに１つまたは複数の第２のメッセージを送信するための手段、１つまたは複数の第２のメッセージは、１つまたは複数の隣接報告サブエレメントフィールドを備え、隣接報告サブエレメントフィールドのうちの少なくとも１つは、１つまたは複数の隣接ワイヤレストランシーバデバイスのパラメータを指定する広帯域幅チャネルサブエレメントを備える、とを備える。１つの実施形態では、広帯域幅チャネルサブエレメントにおける１つまたは複数のパラメータは、１つまたは複数の隣接トランシーバデバイスのうちの少なくとも１つの高スループット（ＨＴ）または超高スループット（ＶＨＴ）パラメータを指定する。別の実施形態では、広帯域幅チャネルサブエレメントは、少なくとも１つのプライマリチャネルの中心周波数、及び少なくとも１つのプライマリチャネルの中心周波数からのセカンダリセグメントの中心周波数の周波数オフセットをさらに指定する。別の実施形態では、支援ワイヤレストランシーバデバイスは、１つまたは複数の隣接報告サブエレメントフィールドを備える１つまたは複数のメッセージを、観測ワイヤレストランシーバデバイスに送信するための手段をさらに備え、１つまたは複数の隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える。別の実施形態では、支援ワイヤレストランシーバデバイスは、観測ワイヤレストランシーバデバイスと１つまたは複数の隣接ワイヤレストランシーバデバイスのうちの少なくとも１つとの間の距離を示す１つまたは複数のパラメータを備える１つまたは複数のメッセージを受信するための手段をさらに備える。別の実施形態では、１つまたは複数の隣接報告サブエレメントフィールドを備える１つまたは複数のメッセージは、１つまたは複数の隣接報告応答メッセージをさらに備える。別の実施形態では、１つまたは複数の隣接報告サブエレメントフィールドを備える１つまたは複数のメッセージは、１つまたは複数のアクセスネットワーククエリプロトコル（ＡＮＱＰ）クエリ応答メッセージを備える。別の特定の実施は、非一時的な記憶媒体を対象とし、非一時的な記憶媒体は、観測ワイヤレストランシーバデバイスへの、１つまたは複数の隣接報告サブエレメントフィールドを備える１つまたは複数のメッセージの送信を開始することを行うように、支援ワイヤレストランシーバデバイスの１つまたは複数のプロセッサによって実行可能である、記憶された機械読み取り可能な命令を備え、隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える。１つの実施形態では、命令は、観測ワイヤレストランシーバデバイスと１つまたは複数の隣接ワイヤレストランシーバデバ��スのうちの少なくとも１つとの間の距離を示す１つまたは複数のパラメータを備える１つまたは複数のメッセージを取得するようにさらに実行可能である。別の実施形態では、広帯域幅チャネルサブエレメントは、１つまたは複数の隣接トランシーバデバイスのうちの少なくとも１つの高スループット（ＨＴ）または超高スループット（ＶＨＴ）パラメータをさらに指定する。別の実施形態では、広帯域幅チャネルサブエレメントは、少なくとも１つのプライマリチャネルの中心周波数、及び少なくとも１つのプライマリチャネルの中心周波数からのセカンダリチャネルの中心周波数の周波数オフセットをさらに指定する。別の実施形態では、１つまたは複数の隣接報告サブエレメントフィールドを備える１つまたは複数のメッセージは、１つまたは複数の隣接報告応答メッセージをさらに備える。別の実施形態では、１つまたは複数の隣接報告サブエレメントフィールドを備える１つまたは複数のメッセージは、１つまたは複数のアクセスネットワーククエリプロトコル（ＡＮＱＰ）クエリ応答メッセージを備える。
【００６１】
[00068]ここで使用されるように、「アクセスポイント」という用語は、例えば、ワイヤレスローカルエリアネットワークのような、ワイヤレス通信システムにおいて通信を容易にするために使用される任意のワイヤレス通信局及び／またはデバイスを含むように意図されるが、特許請求される主題の範囲はこの点に限定されない。別の態様では、アクセスポイントは、例えば、ワイヤレスローカルエリアネットワーク（ＷＬＡＮ）アクセスポイントを備え得る。そのようなＷＬＡＮは、ある態様では、ＩＥＥＥ規格８０２．１１の１つまたは複数のバージョンと互換性がある及び／またはそれに準拠するネットワークを備え得るが、特許請求される主題の範囲はこの点に限定されない。ＷＬＡＮアクセスポイントは、例えば、インターネットのようなネットワークと１つまたは複数のモバイルデバイスとの間の通信を提供し得る。
【００６２】
[00069]ここで使用されるように、「モバイルデバイス」という用語は、時々、変化する位置ロケーションを有し得るデバイスに関連する。位置ロケーションの変化は、数例として、方向、距離（distance）、オリエンテーション、等の変化を備え得る。特定の例では、モバイルデバイスは、セルラ電話、ワイヤレス通信デバイス、ユーザ装置、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーションデバイス、及び／または他のポータブル通信デバイスを備え得る。モバイルデバイスはまた、機械読み取り可能な命令によって制御される機能を行うように適合されるプロセッサ及び／またはコンピューティングプラットフォームを備え得る。
【００６３】
[00070]ここに説明した方法（methodologies）は、特定の例に従ったアプリケーションに依存して様々な手段によって実施され得る。例えば、このような方法は、ハードウェア、ファームウェア、ソフトウェア、またはこれらの組み合わせで実施され得る。ハードウェアの実施では、例えば、処理ユニットは、１つまたは複数の特定用途向け集積回路（「ＡＳＩＣ」）、デジタルシグナルプロセッサ（「ＤＳＰ」）、デジタルシグナル処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、ここに説明された機能を行うように設計された他のデバイスユニット、またはこれらの組み合わせ内に実施され得る。
【００６４】
[00071]アルゴリズム的記述及び／または記号表現は、信号処理及び／または関連技術分野における当業者によって、彼らの作業の内容（substance）を他の当業者に伝えるために使用される技法の例である。アルゴリズムは、ここで及び一般に、所望の結果をもたらす動作及び／または類似の信号処理の首尾一貫したシーケンス（self-consistent sequence）であるとみなされる。この文脈では、動作及び／または処理は、物理量の物理的操作を伴う。必然ではないが、典型的に、このような量は、信号測定値、テキスト、イメージ、ビデオ、オーディオ、等のような様々な形態のコンテンツを表す電子信号及び／または状態として、記憶され、転送され、組み合わされ、比較され、処理され、または他の方法で操作されることができる電気及び／または磁気信号及び／または状態の形態をとり得る。このような物理的信号及び／または物理的状態を、ビット、値、エレメント、記号、文字、用語、数、番号、メッセージ、フレーム、測定値、コンテンツ及び／または同様のもので称することは、主に共通使用という理由で、時として便利であることが証明されている。しかしながら、これら及び／または類似の用語の全ては、適切な物理量と関連付けられるものであり、単なる便利なラベルに過ぎないことが理解されるべきである。別途明記されない限り、前述から明らかなように、本明細書全体にわたり、「処理」、「計算／コンピューティング」、「算出」、「決定」、「確立」、「取得」、「識別」、「選択」、「生成」及び／または同様もののような用語を利用する記述は、特殊目的コンピュータ及び／または類似の特殊目的コンピューティング及び／またはネットワークデバイスのような、特定の装置のアクション及び／または処理に関連し得ることが理解される。したがって、本明細書の文脈では、特殊目的コンピュータ、及び／または類似の特殊目的コンピューティング及び／またはネットワークデバイスは、特殊目的コンピュータ、及び／または類似の特殊目的コンピューティング及び／またはネットワークデバイスのメモリ、レジスタ、及び／または他の記憶デバイス、送信デバイス、及び／またはディスプレイデバイス内の物理的電子量及び／または磁気的な量として典型的に表される、信号及び／または状態を処理、操作、及び／または変換することができる。この特定の特許出願の文脈では、述べたように、「特定の装置」という用語は、プログラムソフトウェアからの命令に準じて特定の機能を行うようにひとたびプログラムされたら、汎用コンピュータのような汎用コンピューティング及び／またはネットワークデバイスを含み得る。
【００６５】
[00072]いくつかの状況では、例えば、バイナリ１からバイナリゼロへのまたはその逆の状態の変化のようなメモリデバイスの動作は、物理的変換のような変換を備え得る。特定のタイプのメモリデバイスでは、そのような物理的変換は、物品（article）の異なる状態またはものへの物理的変換を備え得る。例えば、限定することなく、いくつかのタイプのメモリデバイスに関して、状態の変化は、電荷の蓄積及び／または貯蔵、または貯蔵された電荷の解放を伴い得る。同じ様に、他のメモリデバイスでは、状態の変化は、帯磁方向の変換、及び／または結晶質から非結晶質またはその逆のような分子構造の物理的変化及び／または変換のような、物理的変化を備え得る。さらに他のメモリデバイスでは、物理的状態の変化は、重ねあわせ（superposition）、もつれ（entanglement）及び／または同様のもののような量子力学の（quantum mechanical）現象を伴い得、それらは、例えば、量子ビット（qubits）を伴い得る。前述は、メモリデバイスにおけるバイナリ１からバイナリゼロへのまたはその逆の状態の変化が物理的変換のような変換を備え得る全ての例の、網羅的なリストであることを意図したものではない。むしろ、前述は、例示的な例として意図されている。
【００６６】
[00073]ここに説明されるワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）、等のような様々なワイヤレス通信ネットワークに関連し得る。この文脈では、「ワイヤレス通信ネットワーク」は、１つまたは複数のワイヤレス通信リンクを通じて互いに通信することができる複数のデバイスまたはノードを備える。図１に示されるように、例えば、ワイヤレス通信ネットワークは、モバイルデバイス１００ａ、１００ｂ、１１５ａ及び１１５ｂから２つ以上のデバイスを備え得る。「ネットワーク」及び「システム」という用語は、ここでは交換可能に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記ネットワークの任意の組み合わせ、等であり得る。ＣＤＭＡネットワークは、ほんのいくつかの無線技術を挙げると、ｃｄｍａ２０００、広帯域ＣＤＭＡ（「Ｗ−ＣＤＭＡ（登録商標）」）のような、１つまたは複数の無線アクセス技術（「ＲＡＴ」）を実施し得る。ここでは、ｃｄｍａ２０００は、ＩＳ−９５、ＩＳ−２０００、及びＩＳ−８５６規格に従って実施される技術を含み得る。ＴＤＭＡネットワークは、モバイル通信用グローバルシステム（「ＧＳＭ」）、デジタルアドバンストモバイル電話システム（Ｄ−ＡＭＰＳ）、または何らかの他のＲＡＴを実施し得る。ＧＳＭ及びＷ−ＣＤＭＡは、「第３世代パートナーシッププロジェクト」（「３ＧＰＰ（登録商標）」）という名称のコンソーシアムからの文書に説明されている。ｃｄｍａ２０００は、「第３世代パートナーシッププロジェクト２」（「３ＧＰＰ２」）という名称のコンソーシアムからの文書に説明されている。３ＧＰＰ及び３ＧＰＰ２の文書は、公に利用可能である。４Ｇロングタームエボリューション（「ＬＴＥ」）通信ネットワークはまた、ある態様では、特許請求される主題に従って実施され得る。例えば、ＷＬＡＮは、ＩＥＥＥ８０２．１１ｘネットワークを備え得、ＷＰＡＮは、Ｂｌｕｅｔｏｏｔｈネットワーク、ＩＥＥＥ８０２．１５ｘを備え得る。ここに説明されるワイヤレス通信実施はまた、ＷＷＡＮ、ＷＬＡＮまたはＷＰＡＮの任意の組み合わせに関連して使用され得る。
【００６７】
[00074]別の態様では、前述したように、ワイヤレス送信機またはアクセスポイントは、ビジネスまたは家庭（home）へとセルラ電話サービスを拡張するために利用されるフェムトセルを備え得る。そのような実施では、１つまたは複数のモバイルデバイスは、例えば、符号分割多元接続（「ＣＤＭＡ」）セルラ通信プロトコルを介してフェムトセルと通信し得、フェムトセルは、インターネットのような別の広帯域ネットワークを経由してより大きなセルラ電気通信ネットワークへのアクセスをモバイルデバイスに提供し得る。
【００６８】
[00075]ここに説明される技法は、いくつかのＧＮＳＳのうちのいずれか１つ及び／またはＧＮＳＳの組み合わせを含むＳＰＳと共に使用され得る。さらに、そのような技法は、「疑似衛星（pseudolites）」の役割をする地上送信機、またはＳＶとそのような地上送信機との組み合わせを利用する位置決めシステムと共に使用され得る。地上送信機は、例えば、ＰＮコードまたは（例えば、ＧＰＳまたはＣＤＭＡセルラ信号に類似の）他のレンジングコードをブロードキャストする地上ベースの送信機を含み得る。このような送信機は、遠隔受信機による識別を許可するために、固有のＰＮコードを割り当てられ得る。地上送信機は、例えば、トンネル、鉱山、建物、アーバンキャニオンの谷間または他の囲まれたエリアのような、軌道を回るＳＶからのＳＰＳ信号が利用できない場合がある状況において、ＳＰＳを増強させるのに有用であり得る。疑似衛星の別の実施は、ラジオビーコンとして知られている。ここで使用されるような、「ＳＶ」という用語は、疑似衛星、疑似衛星の同等物、及び場合によっては他のものの役割をする地上送信機を含むように意図される。ここで使用されるような、「ＳＰＳ信号」及び／または「ＳＶ信号」という用語は、疑似衛星または疑似衛星の同等物の役割をする地上送信機を含む地上送信機からの、ＳＰＳのような信号（SPS-like signals）を含むように意図される。
【００６９】
[00076]同じ様に、この文脈では、「結合された」、「接続された」という用語及び／または類似の用語は、一般的に使用される。これらの用語は、同義語として意図されていないことが理解されるべきである。むしろ、「接続された」は、例えば、２つ以上のコンポーネントが、電気的なものを含む直接的な物理的接触をしていることを示すために一般的に使用され、一方、「結合された」は、２つ以上のコンポーネントが、潜在的に、電気的なものを含む直接的な物理的接触をしていることを意味するように一般的に使用されるが、しかしながら、「結合された」はまた、２つ以上のコンポーネントが、必ずしも直接的接触をしていないが、それにもかかわらず、協力（co-operate）及び／またはインタラクトすることができることを意味するように一般的に使用される。結合されたという用語はまた、一般的に、例えば、適切な文脈では、間接的に接続されていることを意味するようにも理解される。
【００７０】
[00077]ここで使用されるような、「及び」、「または」、「及び／または」、及び／または類似の用語は、このような用語が使用される特定の文脈に少なくとも部分的に依存することも予期される多様な意味を含む。典型的に、「または」がＡ、Ｂ、またはＣのようなリストを関連付けるために使用される場合、Ａ、Ｂ、及びＣを意味する、ここでは包含的な意味で使用されている、及び、Ａ、Ｂ、またはＣを意味する、ここでは排他的な意味で使用されている、ように意図される。加えて、「１つまたは複数の」という用語及び／または類似の用語は、単数の任意の特徴、構造及び／または特性を説明するために使用され、及び／または、複数の特徴、複数の構造及び／または複数の特性及び／またはこれらの何らかの他の組み合わせを説明するためにも使用される。同じ様に、「に基づいて」という用語及び／または類似の用語は、ファクタの排他的なセットを伝えることを必ずしも意図しないが、必ずしも明確に説明されない追加的なファクタの存在を許容することを意図するものとして理解される。当然ながら、前述の全てに関して、説明及び／または使用の特定の文脈は、引き出されるべき推論に関する有益なガイダンスを提供する。以下の説明は、単に１つまたは複数の例示的な例を提供しているに過ぎず、特許請求される主題は、これらの１つまたは複数の例に限定されないことに留意されるべきであるが、しかしながら、繰り返しになるが、説明及び／または使用の特定の文脈は、引き出されるべき推論に関する有益なガイダンスを提供する。
【００７１】
[00078]この文脈では、ネットワークデバイスという用語は、ネットワークの一部として及び／またはそれを介して通信することができる任意のデバイスに関連し、コンピューティングデバイスを備え得る。ネットワークデバイスは、ワイヤード及び／またはワイヤレスネットワークを介するような、信号（例えば、信号パケット及び／またはフレーム）を送る及び／または受信することができ得るのと同時に、それらはまた、算術演算及び／または論理演算を実行すること、物理メモリ状態としてのメモリなどにおいて信号を記憶及び／または処理することができ得、及び／または、例えば、様々な実施形態では、サーバとして動作し得る。サーバとして、または別の方法で動作することができるネットワークデバイスは、例として、専用ラックマウント方式のサーバ、デスクトップコンピュータ、ラップトップコンピュータ、セットトップボックス、タブレット、ネットブック、スマートフォン、ウェアラブルデバイス、前述のデバイスの２つ以上の特徴を組み合わせた統合デバイス、同様のもの、またはそれらの任意の組み合わせを含み得る。例えば、信号パケット及び／またはフレームは、例えば、ワイヤレスネットワークを介して結合されたワイヤレスデバイス間を含む、サーバとクライアントデバイス及び／または他のタイプのネットワークデバイスとの間などで交換され得る。サーバ、サーバデバイス、サーバコンピューティングデバイス、サーバコンピューティングプラットフォームという用語及び／または類似の用語は、交換可能に使用されることに留意されたい。同様に、クライアント、クライアントデバイス、クライアントコンピューティングデバイス、クライアントコンピューティングプラットフォームという用語及び／または類似の用語はまた、交換可能に使用される。いくつかの事例では、説明を容易にするために、これらの用語は、「クライアントデバイス（client device）」または「サーバデバイス（server device）」に言及することなどによって、単数で使用され得るが、説明は、必要に応じて、１つまたは複数のクライアントデバイス及び／または１つまたは複数のサーバデバイスを包含するように意図される。似たようなものとして、「データベース（database）」への参照は、必要に応じて、１つまたは複数のデータベース及び／またはそれらの一部を意味するように理解される。
【００７２】
[00079]説明を容易にするために、ネットワークデバイス（ネットワーキングデバイスとも称される）は、コンピューティングデバイスという観点で具現化及び／または説明され得ることが理解されるべきである。しかしながら、説明は、特許請求される主題が、コンピューティングデバイス及び／またはネットワークデバイスのような１つの実施形態に限定されるように決して解釈されるべきではなく、代わりに、例えば、１つまたは複数の例示的な例を含む多様なデバイスまたはそれらの組み合わせとして具現化され得ることがさらに理解されるべきである。１つの実施、ある実施、１つの実施形態、ある実施形態及び／または同様のものに対する本明細書全体にわたる参照は、特定の実施及び／または実施形態に関連して説明された特定の特徴、構造及び／または特性が、特許請求された主題の少なくとも１つの実施及び／または実施形態に含まれることを意味する。したがって、例えば、本明細書全体にわたる様々な箇所におけるそのような表現の出現は、必ずしも、説明されたいずれか１つの特定の実施に、または同じ実施に関連することを意図したものではない。さらに、説明された特定の特徴、構造、及び／または特性は、１つまたは複数の実施における様々な方法で組み合わせられることができ、したがって、それらは、例えば、意図される特許請求の範囲内にあることが理解されるべきである。一般に、当然ながら、これらの及び他の問題は、文脈によって変わる。したがって、説明及び／または使用の特定の文脈は、引き出されるべき推論に関する有益なガイダンスを提供する。例となる特徴であると現時点でみなされるものが例示及び説明されているが、当業者には、特許請求される主題から逸脱することなく、様々な他の修正が成され得、同等物が代用され得ることが理解されることになる。加えて、ここで説明された主要概念から逸脱することなく、特許請求される主題の教示に特定の状況を適合させるために、多くの修正が成され得る。したがって、特許請求される主題は開示された特定の例に限定されず、しかし、そのような特許請求される主題はまた、添付の特許請求の範囲の範囲内に入る全ての態様、及びその同等物も含み得ることが意図されている。
以下に本願の出願当初の特許請求の範囲に記載された発明を付記する。
［Ｃ１］
観測ワイヤレストランシーバデバイスにおいて、
１つまたは複数の隣接報告サブエレメントフィールドを備える、支援ワイヤレストランシーバデバイスからの１つまたは複数のメッセージを受信すること、前記１つまたは複数の隣接報告サブエレメントフィールドのうちの少なくとも１つは、１つまたは複数の隣接ワイヤレストランシーバデバイスの広帯域幅チャネルサブエレメントを備える、と、
前記広帯域幅チャネルサブエレメントにおける１つまたは複数のパラメータに、少なくとも部分的に、基づいて、前記１つまたは複数の隣接ワイヤレストランシーバデバイスのうちの少なくとも１つとメッセージを交換することと
を備える、方法。
［Ｃ２］
前記広帯域幅チャネルサブエレメントは、前記１つまたは複数の隣接ワイヤレストランシーバデバイスのうちの前記少なくとも１つの高スループット（ＨＴ）または超高スループット（ＶＨＴ）パラメータをさらに指定する、
Ｃ１に記載の方法。
［Ｃ３］
前記メッセージを交換することに、少なくとも部分的に、基づいて、前記１つまたは複数の隣接ワイヤレストランシーバデバイスのうちの前記少なくとも１つへの距離を示す１つまたは複数の測定値を取得することをさらに備える、
Ｃ１に記載の方法。
［Ｃ４］
前記取得された１つまたは複数の測定値に、少なくとも部分的に、基づいて、前記支援ワイヤレストランシーバデバイスに１つまたは複数のファインタイミング測定（ＦＴＭ）距離報告メッセージを送信することをさらに備える、
Ｃ３に記載の方法。
［Ｃ５］
前記広帯域幅チャネルサブエレメントは、少なくとも１つのプライマリチャネルの中心周波数、及び前記少なくとも１つのプライマリチャネルの前記中心周波数からのセカンダリセグメントの中心周波数の周波数オフセットをさらに指定する、
Ｃ１に記載の方法。
［Ｃ６］
前記１つまたは複数の隣接報告サブエレメントフィールドを備える前記１つまたは複数のメッセージは、隣接報告要求メッセージに応答して送信された１つまたは複数の隣接報告応答メッセージを備える、
Ｃ１に記載の方法。
［Ｃ７］
前記１つまたは複数の隣接報告サブエレメントフィールドを備える前記１つまたは複数のメッセージは、１つまたは複数のファインタイミング測定（ＦＴＭ）距離要求メッセージを備える、
Ｃ１に記載の方法。
［Ｃ８］
前記支援ワイヤレストランシーバデバイスから送信された前記１つまたは複数のメッセージは、アクセスネットワーククエリプロトコル（ＡＮＱＰ）クエリ要求メッセージに応答して送信された少なくとも１つのＡＮＱＰクエリ応答メッセージを備える、
Ｃ１に記載の方法。
［Ｃ９］
観測ワイヤレストランシーバデバイスであって、
ワイヤレス通信ネットワークからメッセージを受信するための受信機と、
前記ワイヤレス通信ネットワークにメッセージを送信するための送信機と、
１つまたは複数の隣接報告サブエレメントフィールドを備える、支援ワイヤレストランシーバデバイスから前記受信機で受信された１つまたは複数のメッセージを取得すること、前記１つまたは複数の隣接報告サブエレメントフィールドのうちの少なくとも１つは、１つまたは複数の隣接ワイヤレストランシーバデバイスの広帯域幅チャネルサブエレメントを備える、と、
前記広帯域幅チャネルサブエレメントにおける１つまたは複数のパラメータに、少なくとも部分的に、基づいて、前記１つまたは複数の隣接ワイヤレストランシーバデバイスのうちの少なくとも１つとの前記送信機を通じたメッセージの交換を開始することと
を行うように構成された１つまたは複数のプロセッサと
を備える、観測ワイヤレストランシーバデバイス。
［Ｃ１０］
前記広帯域幅チャネルサブエレメントにおける前記１つまたは複数のパラメータは、前記１つまたは複数の隣接トランシーバデバイスのうちの前記少なくとも１つの高スループット（ＨＴ）または超高スループット（ＶＨＴ）パラメータを指定する、
Ｃ９に記載の観測ワイヤレストランシーバデバイス。
［Ｃ１１］
前記広帯域幅チャネルサブエレメントは、少なくとも１つのプライマリチャネルの中心周波数、及び前記少なくとも１つのプライマリチャネルの前記中心周波数からのセカンダリセグメントの中心周波数の周波数オフセットをさらに指定する、
Ｃ９に記載の観測ワイヤレストランシーバデバイス。
［Ｃ１２］
前記１つまたは複数の隣接報告ウブエレメント（ｗｕｂｅｌｅｍｅｎｔ）フィールドを備える前記１つまたは複数のメッセージは、隣接報告要求メッセージに応答して送信された１つまたは複数の隣接報告応答メッセージを備える、
Ｃ９に記載の観測ワイヤレストランシーバデバイス。
［Ｃ１３］
前記１つまたは複数の隣接報告サブエレメントフィールドを備える前記１つまたは複数のメッセージは、１つまたは複数のファインタイミング測定（ＦＴＭ）距離要求メッセージを備える、
Ｃ９に記載の観測ワイヤレストランシーバデバイス。
［Ｃ１４］
前記支援ワイヤレストランシーバデバイスから送信された前記１つまたは複数のメッセージは、アクセスネットワーククエリプロトコル（ＡＮＱＰ）クエリ要求メッセージに応答して送信された少なくとも１つのＡＮＱＰクエリ応答メッセージを備える、
Ｃ９に記載の観測ワイヤレストランシーバデバイス。
［Ｃ１５］
前記１つまたは複数のプロセッサは、
前記メッセージの交換に、少なくとも部分的に、基づいて、前記１つまたは複数の隣接ワイヤレストランシーバデバイスのうちの前記少なくとも１つへの距離を示す１つまたは複数の測定値を取得するようにさらに構成された、
Ｃ９に記載の観測ワイヤレストランシーバデバイス。
［Ｃ１６］
前記１つまたは複数のプロセッサは、前記取得された１つまたは複数の測定値に、少なくとも部分的に、基づいて、前記支援ワイヤレストランシーバデバイスへの１つまたは複数のファインタイミング測定（ＦＴＭ）距離報告メッセージの送信を開始するようにさらに構成された、
Ｃ１５に記載の観測ワイヤレストランシーバデバイス。
［Ｃ１７］
支援ワイヤレストランシーバデバイスにおいて、
１つまたは複数の隣接報告サブエレメントフィールドを備える１つまたは複数のメッセージを観測ワイヤレストランシーバデバイスに送信することを備え、前記１つまたは複数の隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える、
方法。
［Ｃ１８］
前記観測ワイヤレストランシーバデバイスと前記１つまたは複数の隣接ワイヤレストランシーバデバイスのうちの前記少なくとも１つとの間の距離を示す１つまたは複数のパラメータを備える１つまたは複数のメッセージを受信することをさらに備える、
Ｃ１７に記載の方法。
［Ｃ１９］
前記広帯域幅チャネルサブエレメントは、前記１つまたは複数の隣接ワイヤレストランシーバデバイスのうちの前記少なくとも１つの高スループット（ＨＴ）または超高スループット（ＶＨＴ）パラメータをさらに指定する、
Ｃ１７に記載の方法。
［Ｃ２０］
前記広帯域幅チャネルサブエレメントは、少なくとも１つのプライマリチャネルの中心周波数、及び前記少なくとも１つのプライマリチャネルの前記中心周波数からのセカンダリチャネルの中心周波数の周波数オフセットをさらに指定する、
Ｃ１７に記載の方法。
［Ｃ２１］
前記１つまたは複数の隣接報告サブエレメントフィールドを備える前記１つまたは複数のメッセージは、１つまたは複数の隣接報告応答メッセージをさらに備える、
Ｃ１７に記載の方法。
［Ｃ２２］
前記１つまたは複数の隣接報告サブエレメントフィールドを備える前記１つまたは複数のメッセージは、１つまたは複数のアクセスネットワーククエリプロトコル（ＡＮＱＰ）クエリ応答メッセージを備える、
Ｃ１７に記載の方法。
［Ｃ２３］
前記１つまたは複数の隣接報告サブエレメントフィールドを備える前記１つまたは複数のメッセージは、１つまたは複数のファインタイミング測定（ＦＴＭ）距離要求メッセージを備える、
Ｃ１７に記載の方法。
［Ｃ２４］
支援ワイヤレストランシーバデバイスであって、
ワイヤレス通信ネットワークからメッセージを受信するための受信機と、
前記ワイヤレス通信ネットワークにメッセージを送信するための送信機と、
観測ワイヤレストランシーバデバイスへの前記送信機を通じた、１つまたは複数の隣接報告サブエレメントフィールドを備える１つまたは複数のメッセージの送信を開始することを行うように構成された１つまたは複数のプロセッサ、前記１つまたは複数の隣接報告サブエレメントフィールドのうちの少なくとも１つは、１つまたは複数の隣接ワイヤレストランシーバデバイスの１つまたは複数のパラメータを指定する広帯域幅チャネルサブエレメントを備える、と
を備える、支援ワイヤレストランシーバデバイス。
［Ｃ２５］
前記広帯域幅チャネルサブエレメントは、前記１つまたは複数の隣接ワイヤレストランシーバデバイスのうちの前記少なくとも１つの高スループット（ＨＴ）または超高スループット（ＶＨＴ）パラメータをさらに指定する、
Ｃ２４に記載の支援ワイヤレストランシーバデバイス。
［Ｃ２６］
前記広帯域幅チャネルサブエレメントは、少なくとも１つのプライマリチャネルの中心周波数、及び前記少なくとも１つのプライマリチャネルの前記中心周波数からのセカンダリセグメントの中心周波数の周波数オフセットをさらに指定する、
Ｃ２４に記載の支援ワイヤレストランシーバデバイス。
［Ｃ２７］
前記１つまたは複数の隣接報告サブエレメントフィールドを備える前記１つまたは複数のメッセージは、隣接報告要求メッセージに応答して送信された１つまたは複数の隣接報告応答メッセージを備える、
Ｃ２４に記載の支援ワイヤレストランシーバデバイス。
［Ｃ２８］
前記１つまたは複数の隣接報告サブエレメントフィールドを備える前記１つまたは複数のメッセージは、アクセスネットワーククエリプロトコル（ＡＮＱＰ）クエリ要求メッセージに応答して送信された少なくとも１つのＡＮＱＰクエリ応答メッセージを備える、
Ｃ２４に記載の支援ワイヤレストランシーバデバイス。
［Ｃ２９］
前記１つまたは複数の隣接報告サブエレメントフィールドを備える前記１つまたは複数のメッセージは、１つまたは複数のファインタイミング測定（ＦＴＭ）距離要求メッセージを備える、
Ｃ２４に記載の支援ワイヤレストランシーバデバイス。
【図１】
0006352548.tif 000002
【図２】
0006352548.tif 000003
【図３】
0006352548.tif 000004
【図４】
0006352548.tif 000005
【図５】
0006352548.tif 000006
【図６】
0006352548.tif 000007
【図７】
0006352548.tif 000008
【図８】
0006352548.tif 000009
【図９】
0006352548.tif 000010
【図１０】
0006352548.tif 000011
【図１１】
0006352548.tif 000012
【図１２】
0006352548.tif 000013
【図１３】
0006352548.tif 000014
【図１４】
0006352548.tif 000015
【図１５】
0006352548.tif 000016
【図１６】
0006352548.tif 000017